(57)【特許請求の範囲】
【請求項１】
毛髪スタイリング及び／又は整髪用エアロゾルヘアスプレー製品であって、
ｉ．ヘアスタイリング配合物及び噴射剤を保管するためのリザーバを囲繞する容器壁部を備える容器と、
ｉｉ．ヘアスタイリング配合物であって、
（ａ）ヘアスタイリング配合物及び噴射剤の総重量に対して少なくとも５０％の水と
（ｂ）ヘアスタイリング配合物及び噴射剤の総重量に対して０．０１％〜２０％のヘアスタイリングポリマーと、を含有してなるヘアスタイリング配合物と、
ｉｉｉ．圧縮ガス噴射剤と、
ｉｖ．前記ヘアスタイリング配合物を分配できるようするために前記容器に取り付けられたスプレー装置であって、
第１の要素（２０）と、第２の要素（２２）と、を備える流体分配用スプレーノズル（２）を具備し、
前記第１及び第２の要素（２０、２２）が、前記流体を収容する流体チャンバ（４０）と、前記流体チャンバ（４０）からの流体を渦流チャンバ（４４）の内側に入るように半径方向に給送する少なくとも１つの給送チャネル（４２）と、前記渦流チャンバ（４４）に対向する入口端部（５４）及び流体を前記スプレーノズル（２）の前記周囲（５８）に排出するための出口端部（５６）を備える排水チャネル（１８）と、を備えてなる組立体（８０）を形成し、
前記排水チャネル（１８）が前記流体の流れ方向に先細になり、先細りの度合いが前記流れ方向に一定であるか、又は先細りの度合いが前記流れ方向に減少しており、
第１の孔（６６）を備える出口層（６４）と、第２の孔（７０）及びスロット（７２）を備えるチャンネル層（６８）と、孔（複数）（７６）を備える入口層（７４）が設けられ、
前記第１の孔（６６）が前記排水チャネル（１８）を形成し、前記第２の孔（７０）が前記渦流チャンバ（４４）を形成し、前記スロット（７２）が前記給送チャネル（４２）を形成し、前記入口層（７４）内の前記孔（複数）（７６）が前記流体チャンバ（４０）からの流体を前記給送チャネル（４２）に供給するための入口孔（複数）を形成するように前記層（６４、６８、７４）が挟持されているスプレー装置と、
を含んで構成され、
前記少なくとも１つの給送チャネル（４２）の出口端部（４６）の断面積の合計と前記排水チャネル（１８）の出口端部（５６）の断面積との比が、１．５〜２．７であり、
前記製品が、アルコールを実質的に含まないか、又はエタノール及び／又はプロパノールを実質的に含まない、毛髪スタイリング及び／又は整髪用エアロゾルヘアスプレー製品。
【請求項２】
前記第１の要素（２０）がノズルカップであり、前記第２の要素（２２）がピンであり、前記流体チャンバ（４０）が環状チャンバである、請求項１に記載の製品。
【請求項３】
前記少なくとも１つの給送チャネル（４２）の出口端部（４６）の断面積の合計と前記排水チャネル（１８）の出口端部（５６）の断面積との比が、１．７〜２．６である、請求項１又は２に記載の製品。
【請求項４】
前記出口端部（５６）の最大直径（ｄｍａｘ）が０．１ｍｍ〜０．８ｍｍである、請求項１〜３のいずれか一項に記載の製品。
【請求項５】
前記出口端部（５６）の最大直径（ｄｍａｘ）が０．１ｍｍ〜０．２５ｍｍである、請求項１〜３のいずれか一項に記載の製品。
【請求項６】
前記出口端部（５６）の最大直径（ｄｍａｘ）が０．１ｍｍ〜０．２ｍｍである、請求項１〜３のいずれか一項に記載の製品。
【請求項７】
前記出口端部（５６）の最大直径（ｄｍａｘ）が０．１２ｍｍ〜０．１５ｍｍである、請求項１〜３のいずれか一項に記載の製品。
【請求項８】
前記排水チャネル（１８）の前記内側表面（６２）が角度（β）を含み、前記角度（β）が７０〜１３０°の間を変動する、請求項１〜７のいずれか一項に記載の製品。
【請求項９】
前記排水チャネル（１８）の前記内側表面（６２）が角度（β）を含み、前記角度（β）が８０〜１２０°の間を変動する、請求項１〜７のいずれか一項に記載の製品。
【請求項１０】
前記排水チャネル（１８）の前記内側表面（６２）が角度（β）を含み、前記角度（β）が８０〜１１０°の間を変動する、請求項１〜７のいずれか一項に記載の製品。
【請求項１１】
前記層（６４、６８、７４）が互いに分離可能であり、および／または前記層（６４、６８、７４）のそれぞれが置換可能である、請求項１〜１０のいずれか一項に記載の製品。
【請求項１２】
前記ヘアスタイリングポリマーが、（メタ）アクリル酸又はそれらの単純エステルであるモノマーのうちの２つ以上のモノマーのアクリレートコポリマー；ブチルアクリレート、メチルメタクリレート、メタクリル酸、エチルアクリレート及びヒドロキシエチルメタクリレートのアクリレート／ヒドロキシエステルアクリレートコポリマー；ポリウレタン−１４／ＡＭＰ−アクリレートポリマーブレンド；並びにこれらの混合物からなる群から選択される、請求項１〜１１のいずれか一項に記載の製品。
【請求項１３】
前記製品が、ヘアスタイリング配合物及び噴射剤の総重量に対して１５％未満の揮発性有機化合物を含むか、又は揮発性有機化合物を実質的に含まない、請求項１〜１２のいずれか一項に記載の製品。
【請求項１４】
前記圧縮ガス噴射剤が、空気、窒素、亜酸化窒素、二酸化炭素、及びこれらの混合物からなる群から；又は空気、窒素、及びこれらの混合物；又は窒素から選択される、請求項１〜１３のいずれか一項に記載の製品。
【請求項１５】
前記容器壁部が、前記容器の総重量に対して少なくとも約８０％のプラスチック材料を含む、請求項１〜１４のいずれか一項に記載の製品。
【請求項１６】
前記プラスチック材料が、ポリオレフィン、ポリエステル、ポリアミド、ポリ塩化ビニル、アクリル、ポリカーボネート、ポリエチレンナフタレート、ポリエチレンテレフタレート、ポリスチレン、ポリウレタン、及びこれらの混合物；又はポリエチレンテレフタレート、ポリエチレンナフタレート、及びこれらの混合物からなる群から選択される、請求項１５に記載の製品。
【請求項１７】
前記容器内部の圧力が、５０℃で６００ｋＰａ（６ｂａｒ）〜１２００ｋＰａ（１２ｂａｒ）、又は８００ｋＰａ（８ｂａｒ）〜１０００ｋＰａ（１０ｂａｒ）である、請求項１〜１６のいずれか一項に記載の製品。
【請求項１８】
前記ヘアスタイリング配合物がヘアスタイリングポリマーの混合物を含み、
前記混合物が硬質ヘアスタイリングポリマーと軟質ヘアスタイリングポリマーとを含み、
前記軟質ヘアスタイリングポリマーがポリウレタン−１４／ＡＭＰ−アクリレートポリマーブレンド、又はラテックスヘアスタイリングポリマーであり、前記硬質ヘアスタイリングポリマーが（メタ）アクリル酸、又はそれらの単純エステルであるモノマーののうちの２つ以上のモノマーのアクリレートコポリマー又は；並びにブチルアクリレート、メチルメタクリレート、メタクリル酸、エチルアクリレート及びヒドロキシエチルメタクリレートのアクリレート／ヒドロキシエステルアクリレートコポリマーからなる群から選択される、請求項１〜１７のいずれか一項に記載の製品。
【請求項１９】
前記ヘアスタイリング配合物がオクチルアクリルアミド／アクリレート／ブチルアミノエチルメタクリレートコポリマー、パンテノール化合物、シリコーン化合物、ラテックス化合物、及びこれらの混合物からなる群から選択される追加成分を更に含む、請求項１〜１８のいずれか一項に記載の製品。
【請求項２０】
ｉ．噴出組成物を毛髪に塗布する工程であって、請求項１〜１９のいずれか一項に記載のヘアスプレー製品によって前記噴出組成物が噴出される工程と、
ｉｉ．毛髪上で前記噴出組成物を乾燥させる工程と、
を含む、毛髪をスタイリングするための方法。
【請求項２１】
ヘアスタイルを固定及び／又は整髪するための、請求項１〜１９のいずれか一項に記載の製品の使用。
【発明の詳細な説明】
【技術分野】
【０００１】
毛髪スタイリング及び／又は整髪用エアロゾルヘアスプレー製品。
【背景技術】
【０００２】
ヘアスプレー等のヘアスタイリング製品は、異なるヘアスタイルを達成し、ある期間、適所に毛髪の房を保持するために使用される。一般的には、ヘアスプレーは、ヒトの毛髪等のケラチン含有繊維に塗布するとき、繊維間接合部を形成する、膜形成ポリマーを含む。これらの結合は、一緒に繊維を「接着」させて、ヘアスタイルに保持を付与する。
【０００３】
エアロゾルヘアスプレー製品は、通常容器、ノズル、噴射剤、及びヘアスタイリング配合物を含む。ヘアスプレー組成物は通常、機械式ポンプノズル又はエアロゾル形成ノズルを介して、そのような製品から噴出される。例えば、米国特許出願公開第２００９／０１０４１３８Ａ１号を参照されたい。一般に使用される噴射剤には、揮発性有機化合物（ＶＯＣ）プロパン、ブタン、１，１−ジフルオロエタン、及びジメチルエーテルが挙げられる。しかしながら、ＶＯＣは、ある種の酸化窒素と反応することが知られており、これは、健康問題の発生源である可能性がある地面レベルオゾンの形成をもたらす場合がある。アルコールはまた、しばしば、例えば、表面張力を軽減させるために、ヘアスタイリング配合物中に使用される。しかしながら、高比率のアルコールは、毛髪の乾燥を感じさせ、傷みやすくさせる場合があり、一部のアルコールは、一部のユーザにアレルギー反応を起こす場合がある。アルコールはまた引火性が高く、ＶＯＣである。
【先行技術文献】
【特許文献】
【０００４】
【特許文献１】米国特許出願公開第２００９／０１０４１３８Ａ１号
【発明の概要】
【発明が解決しようとする課題】
【０００５】
それ故、環境的により優しく、持続性に優れ、かつ手頃な値段のヘアスプレー製品、特に、低濃度のＶＯＣを含んでなるエアロゾルヘアスプレー製品に対するニーズは絶えることがない。しかしながら、エアロゾルヘアスプレー製品の１つ以上の特徴を変更することは、それらの間の相互関係が製品性能に影響を及ぼすため、困難であり得る。
【０００６】
そのため、特に明記しない限り、上述したニーズを考慮すると、良好なヘアスプレー性能を維持するべきである。性能上の利益には、例えば、保持力に優れる、保持時間が長い、耐湿性が良い、整髪可能に保持する、乾燥時間が許容範囲である、髪触りが自然で柔軟性に優れる、手及び毛髪のべたつきが許容範囲であるか若しくはべたつかないことが包含され得る。なかでも消費者に特に関連があるのは、毛髪の感触が自然で、手及び毛髪がべたつかないことである。
【課題を解決するための手段】
【０００７】
第１の態様において、本発明は、毛髪スタイリング及び／又は整髪用エアロゾルヘアスプレー製品に関し、本製品は、
ｉ．ヘアスタイリング配合物及び噴射剤を保管するためのリザーバを囲繞する容器壁部を備える容器と、
ｉｉ．ヘアスタイリング配合物であって、
（ａ）ヘアスタイリング配合物及び噴射剤の総重量に対して少なくとも５０％の水と、
（ｂ）ヘアスタイリング配合物及び噴射剤の総重量に対して０．０１重量％〜２０重量％のヘアスタイリングポリマーと、を含有してなるヘアスタイリング配合物と、
ｉｉｉ．圧縮ガス噴射剤と、
ｉｖ．前記ヘアスタイリング配合物を分配するために容器に取り付けられたスプレー装置であって、第１の要素（２０）及び第２の要素（２２）を備える流体分配用スプレーノズル（２）を具備し、前記第１及び第２の要素（２０、２２）が、前記流体を収容する流体チャンバ（４０）、好ましくは環状チャンバと、流体チャンバ（４０）からの流体を渦流チャンバ（４４）の内側に入るように半径方向に給送する少なくとも１つの給送チャネル（４２）と、渦流チャンバ（４４）に対向する入口端部（５４）及び流体をスプレーノズル（２）の周囲（５８）に排出するための出口端部（５６）を備える排水チャネル（１８）と、を備えてなる組立体（８０）を形成し、排水チャネル（１８）が流体の流れ方向に先細になり、先細りの度合いが流れ方向に一定であるか、又は先細りの度合いが流れ方向に減少しており、第１の孔（６６）を備える出口層（６４）と、第２の孔（７０）及びスロット（７２）を備えるチャンネル層（６８）と、孔（複数）（７６）を備える入口層（７４）が設けられ、前記第１の孔（６６）が前記排水チャネル（１８）を形成し、前記第２の孔（７０）が前記渦流チャンバ（４４）を形成し、前記スロット（７２）が前記給送チャネル（４２）を形成し、前記入口層（７４）内の前記孔（複数）（７６）が前記流体チャンバ（４０）からの流体を前記給送チャネル（４２）に供給するための入口孔（複数）を形成するように前記層（６４、６８、７４）が挟持されているスプレー装置と、を含んで構成され、前記少なくとも１つの給送チャネル（４２）の出口端部（４６）の断面積の合計と前記排水チャネル（１８）の出口端部（５６）の断面積との比が、１．５〜２．７であり、前記製品が、アルコールを実質的に含まないか、又はエタノール及び／又はプロパノールを実質的に含まない。
【０００８】
第２の態様において、本発明は毛髪をスタイリングするための方法に関し、本方法は
ｉ．第１の態様に記載のヘアスプレー製品によって噴出される、噴出組成物を毛髪に塗布する工程と、
ｉｉ．毛髪上で噴出組成物を乾燥させる工程と、を含む。
【０００９】
第３の態様において、本発明は、ヘアスタイルを固定及び／又は成形するための第１の態様による製品の使用に関する。
【図面の簡単な説明】
【００１０】
ここで、図面を参照しながら、例示の目的にのみ、本発明の実施形態について説明する。
【図１】スプレーノズルの実施態様の断面側面図を示す。
【図２】図１のＡ−Ａ線に沿った断面図である。
【図３】図２のＢ−Ｂ線に沿った断面図である。
【図４】図１の拡大断面図Ａを示す。
【図５】図１の拡大断面図Ａに修正を施したものを示す。
【図６】スプレーノズルの実施態様の概略図を示す。
【図７】スプレーノズルの実施態様の概略図を示す。
【発明を実施するための形態】
【００１１】
別段の記載がない限り、全ての百分率は、総組成物／配合物の重量によるものである。別段の記載がない限り、全ての比率は重量比である。全ての範囲は、包含的であり、かつ組み合わせ可能である。有効数字の数は、表示された量に対する限定を表すものでも、測定値の精度に対する限定を表すものでもない。用語「分子量」又は「Ｍ．Ｗｔ．」は、本明細書で使用するとき、特に記述のない限り、重量平均分子量を指す。「ＱＳ」あるいは「ＱＳＰ」は、１００％に対応する十分な数量を意味する。＋／−は標準偏差を示す。
【００１２】
全ての数値的な量は、特に指示のない限り、用語「約」によって修飾されることが理解されよう。特に指示がない限り、全ての測定は、２５℃において周囲条件で実施されるものと理解され、「周囲条件」とは、約１気圧及び相対湿度約５０％における条件を意味する。列挙される成分についてのこうした重量は全て活性レベルに基づいたものであり、特に断らない限り、市販の物質に含有される可能性のある基剤又は副生成物は含まれない。
【００１３】
本明細書に記載されている実施形態及び態様は、他の実施態様及び／又は態様の要素又は成分を含むか又はこれらを組み合わせることが可能であるが、別段明記しない限り又は不相容性が明示されてされない限り、それらを組み合わせて明白に例証されない。
【００１４】
本明細書で使用するとき、用語「エアロゾル」は、ガス中の微細液滴の懸濁液を意味する。エアロゾルヘアスプレー製品は、ヘアスプレー配合物を霧化する、つまり、煙霧質を生成する。表面張力により、液滴は、一般に、実質的には、球形である。本明細書で使用するとき、「液滴直径」は、放出された液滴の中位径として定義される。
【００１５】
用語「エアロゾルヘアスプレー製品」は、ムース又はフォーム製品を包含しない。本明細書で使用するとき、用語「ムース」又は「フォーム」は、液体中の気泡の分散液を意味する。一般に、ムース又はフォーム組成物は、通常、０．３重量％を超える界面活性剤を含む。界面活性剤は、ムース又はフォームの稠度を形成する球状気泡の形成をもたらす。しかしながら、フォーム又はムースはまた、卵白タンパク質等のタンパク質を使用して、例えば、特定のアクチュエータ等の他の手段によって界面活性剤が含まれていない配合物から形成することもできる。一般的には、ムース／フォームを噴出するヘアスタイリング製品はまた、約６重量％〜約１６重量％の噴射剤も含む。
【００１６】
用語「エアロゾルヘアスプレー製品」は、ジェル製品又はジェル組成物を含む若しくは放出する製品を包含しない。ジェルは、ポンプスプレーアクチュエータによって分配され得る。ハンドジェル配合物は、一般的には、所望の性能に依存する約８，０００ｍＰａ・ｓ〜約２０，０００ｍＰａ・ｓの粘度を有する。スプレージェルの噴出組成物は、一般的には、直径が少なくとも約８０マイクロメートルの液滴直径を有する。
【００１７】
本明細書で使用するとき、用語「毛髪の乾燥時間」は、噴出組成物が、毛髪を乾燥させるのにかかる時間を意味する。毛髪の乾燥時間は、毛髪上に特異的パターンを噴霧し、毛髪が、手の中で、粘着性、及び湿気がなくなる時間を計ることによって測定される。
【００１８】
本明細書で使用するとき、用語「噴出流量」は、噴霧してから５秒後のエアロゾルヘアスプレー製品の全重量中の損失として定義される。この値は通常、５で除算することにより、秒当たりのグラム数が与えられる。噴出流量は、保持に優れることと乾燥時間が十分に速いことのバランスがとれていなければならない。例えば、過剰な量の噴出組成物が、短期間で毛髪に塗布される場合、毛髪の乾燥時間は、容認し難いほど長くなる場合がある。
【００１９】
本明細書では、「含む」とは、最終結果に影響を及ぼさない、他の工程及び他の成分を追加し得ることを意味する。この用語は、用語「〜からなる」及び用語「本質的に〜からなる」を包含する。本明細書中の組成物、方法、使用、及びプロセスは、本明細書に記載される本発明の要素及び限定、並びに本明細書に記載されるいかなる追加若しくは任意の成分、構成要素、工程、又は限定をも含む、それらからなる、及びそれらから本質的になることができる。
【００２０】
本明細書で使用するとき、用語「ポリマー」は、モノマーの重合、並びに天然ポリマーによって作製される全ての材料を含むべきである。１種類だけのモノマーから作製されるポリマーは、ホモポリマーと称される。ポリマーは、少なくとも２つのモノマーを含む。２種以上の異なる種類のモノマーから作製されるポリマーは、コポリマーと称される。異なるモノマーの分布は、統計的に又はブロックごとに計算することができ、両方の可能性は、本発明には好適である。特に明記される場合を除いて、本明細書で使用するとき、用語「ポリマー」は、ホモポリマー及びコポリマーを含む、いかなる種類のポリマーが含まれる。
【００２１】
本明細書で使用するとき、用語「ヘアスタイリングポリマー」は、表面上に膜を形成する毛髪を固定するポリマーを意味する。毛髪の文脈の中では、この表面は、個々の毛髪繊維又はその複数の毛髪繊維の表面である。ポリマーは、接合部を形成するために、それらを一緒に接着させ、これが、保持効果を提供する架橋結合である。同時に、これらの接合部は、ユーザに毛髪の保持及びボリューム効果を提供する「ヘアネット」を形成する。接合部のネットが、有効に形成されるとき、保持及びボリューム効果が、一日中続き、環境湿度への良好な耐性を提供することができる。
【００２２】
本発明によるヘアスプレー製品は、ヒトの毛髪への塗布に好適である。本明細書で使用するとき、用語「ヒトの毛髪への塗布に好適」とは、そのように記載された組成物又はその構成成分が、過度の毒性、不適応性、不安定性、アレルギー反応等を伴わずに、ヒトの毛髪及び頭皮と接触して使用するのに好適であることを意味する。
【００２３】
本明細書で定義される、用語「最大増分反応性」値又は「ＭＩＲ」値は、大気に付加されるときの、炭化水素の単位重量当たりのオゾン形成の増加の尺度を意味する。したがって、ＭＩＲは、化合物のオゾン形成能を測定した。ＭＩＲに対する同様の測定は、「光化学的オゾン生成能」又は「ＰＯＣＰ」である。
【００２４】
本明細書で定義される、用語「地球温暖化能」又は「ＧＷＰ」は、一定の化合物の質量が、同一質量の二酸化炭素のものと比較して地球温暖化にいかに貢献するのかを計算する尺度である。したがって、二酸化炭素の地球温暖化能は、１である。本明細書で使用するとき、ＧＷＰ値は、特に明記しない限り、１００年間の計画対象期間に計算されるものである。
【００２５】
本明細書で使用されている用語「揮発性有機化合物」又は「ＶＯＣ」は、標準圧力の１０１．３ｋＰａで測定された２５０℃以下の初留点を有する任意の有機化合物を意味する。一実施形態において、「ＶＯＣ」は、２９３．１５Ｋ（即ち、２０℃）で蒸気圧が０．０１ｋＰａ以上の任意の化合物を意味する。本明細書で用いられている「有機」は、少なくとも元素である炭素と、水素、ハロゲン、酸素、硫黄、リン、ケイ素又は窒素のうちの１つ以上と、を含有している任意の化合物を意味する。この定義に含まれる有機化学のある種の揮発性化合物は、太陽光の存在下で、酸化窒素と光化学的に反応することが知られており、つまり、これにより、地表面オゾン及び光化学スモッグを生じる。実際に、米国では、米国立法目的（Ｕ．Ｓ．ＥＰＡ  ４０ＣＦＲ  ５１．１００［ｓ］）のためのＶＯＣの定義は、ごくわずかな光化学反応性も有さないこれらの有機化合物のみを定義する。本出願の目的に合うＶＯＣであると見なされる化合物の例には、エタノール、ジメチルエーテル、１，１−ジフルオロエタン、１，１，１，２−テトラフルオロエタン、ペンタン、ｎ−ブタン、イソ−ブタン、プロパン、トランス−１，３，３，３−テトラフルオロプロペン、遊離ギ酸（即ち、その塩ではない）が挙げられる。ある種の芳香剤及び植物エキスもＶＯＣである。
【００２６】
エアロゾルヘアスプレー製品に関して本明細書で使用されるとき、用語「不燃性」は、製品が、１％以下の可燃性構成成分を含有し、化学燃焼熱は、２０ｋＪ／ｇ未満であることを意味し、また、着火距離試験、及び必要に応じて密閉空間試験後に不燃性であると見なされる。化学燃焼熱が、２０ｋＪ／ｇ未満である場合、着火が１５ｃｍ以上の距離で起こる場合、エアロゾルは可燃性として分類される。スプレーエアロゾルの着火距離試験は、着火及び持続的な燃焼が起こるかどうかを観察するために、エアロゾルが１５ｃｍの間隔で着火源の方向に噴霧される、標準試験である。着火及び持続的な燃焼は、安定火炎が、少なくとも５秒間維持されるときとして定義される。着火源は、青色の非発光の火炎が高さ４〜５ｃｍあるガスバーナとして定義される。着火距離試験において、着火が生じない場合、密閉空間試験が行われるべきであり、この場合、エアロゾルは、時間等価が、３００ｓ／ｍ3以下であるか、又は爆燃密度が、３００ｇ／ｍ3以下である場合、可燃性として分類され、そうでなければ、エアロゾルは、不燃性として分類される。密閉空間着火試験は、エアロゾルディスペンサーの内容物が、燃焼中のろうそくが入っている円筒試験管に噴霧される、標準試験である。可観測の着火が生じる場合、経過時間及び排出された量が、記録される。これらの定義は、ＵＮ  Ｍａｎｕａｌ  ｏｆ  Ｔｅｓｔｓ  ａｎｄ  Ｃｒｉｔｅｒｉａ，Ｐａｒｔ  ＩＩＩ，Ｓｅｃｔｉｏｎ  ３１に記載のものである。化学燃焼熱は、標準法ＡＳＴＭ  Ｄ  ２４０によって決定することができる。
【００２７】
本明細書中に定義されている「実質的〜がない」、「実質的に〜を含まない」という用語、又は文法上それらに相当する用語は約１％未満、又は約０．８％未満、又は約０．５％未満、又は約０．３％未満、又は約０％を意味する。
【００２８】
発明者らは驚くべきことに、圧縮ガス噴射剤を利用した水性ヘアスプレー配合物を噴霧する能力と良好なヘアスプレー性能を維持する能力とを兼ね備える特定のスプレー装置を慎重に選択することで、上記の障害を克服し、上述のニーズに対応した。本発明に基づくヘアスプレー製品によって得られる性能上の利益としては、保持力に優れる、乾燥時間が許容範囲である、ヘアセットが長持ちする、髪をブラッシングした後、及び櫛で梳かした後の髪触りが良い、手及び毛髪のべたつきが許容範囲であるか又は無いことが挙げられる。
【００２９】
本明細書中に記載されているように、含水率が高い低ＶＯＣヘアスプレー配合物を噴霧する目的に合わせて最適化されたスプレー装置は、慎重に選択されてきた。特に、比較的低い圧力下で圧縮ガス噴射剤の推進力を受けてヘアスタイリング配合物を十分に噴霧する能力があるスプレー装置を利用すると、特に有利である。直線形の側部壁を備えるスプレーノズルの利用は、それによって提供される流路を短縮するほど抵抗が低減されるという一般通念に対応する。例については、Ｌｅｆｅｂｖｒｅ，Ａｔｏｍｉｚａｔｉｏｎ  ａｎｄ  Ｓｐｒａｙｓ（ｃｏｐｙｒｉｇｈｔ  １９８９），Ｈｅｍｉｓｐｈｅｒｅ  Ｐｕｂｌｉｓｈｉｎｇ  Ｃｏｍｐａｎｙを参照のこと。Ｌｅｆｅｂｖｒｅの１１６ページに、３つの異なるノズルデザインを示す。３つのノズルはいずれも、直線形の側部壁を備える。Ｌｅｆｅｂｖｒｅは更に、シンプレックスアトマイザーの重大な欠点として、流速の変化が差圧の平方根に制限されてしまうことを認めている。このため、流速を２倍に増大させるには圧力の４倍増大させる必要がある。対照的に、本明細書中に記載されているスプレー装置は、曲線形状の漏斗壁部を有する旋回収斂面として画定された、流れ領域を提供する形状を含む。更にまた、スプレーノズル自体の内部の圧力降下が先細り状の排水チャネルを使用することによって低減できることも、見出された。そのうえ、排水チャネルが流れ方向に先細りになれば、噴出組成物によって生ずるスプレーパターンに明白な効果がもたらされる。
【００３０】
エアロゾルヘアスプレー製品、並びに他の関連構成成分のそれぞれの特徴は、以下に詳細に記載される。
【００３１】
第１の態様によれば、本発明はヘアスプレー製品をエアロゾルに関する。一実施形態において、本製品はヘアスタイリング配合物及び噴射剤の総重量に対して５４重量％未満のＶＯＣを含むか、又は１５重量％未満の揮発性有機化合物を含む。別の実施形態において、本製品はＶＯＣの含有率がヘアスタイリング配合物及び噴射剤の総重量に対して約１重量％〜約１５重量％未満である。一実施形態において、本製品はＶＯＣを実質的に含まない。一実施形態において、本エアロゾルヘアスプレー製品の最大増分反応性（ＭＩＲ）値は１未満、又は０．８未満、又は０．７未満、又は０．４未満である。エアロゾルヘアスプレー製品のＭＩＲ値は、ヘアスプレー製品のそれぞれの構成成分の重量分率にそのＭＩＲ値を掛けることによって計算することができる。ヘアスプレー製品の共通成分のＭＩＲ値は、２−アミノメチルプロパノール：約１５．０８；水：０．００；アセトン：０．４３；エタノール：１．６９；イソプロパノール：０．７１を含む。その他のＭＩＲ値は下記のとおりである。例えば、０．２％の２−アミノメチルプロパノールを含み、０を上回るＭＩＲ値を有する他の構成成分がない製品は、０．０３のＭＩＲ値を有する。一実施形態において、ヘアスタイリング配合物及び噴射剤は、約５ｋＪ／ｋｇ〜約２０ｋＪ／ｋｇの燃焼熱を有する、及び／又は前記製品は、不燃性である。
【００３２】
噴出組成物は、噴霧に続いて、毛髪上に着地する液滴を形成するため、ヘアスタイリング配合物の表面張力及び粘度は重要であり得る。次いで、噴出組成物は、毛髪上に薄層の被覆を形成するために、それぞれの個々の毛髪繊維に沿って広がらなくてはならず、これにより、迅速に乾燥し、また他の同様に被覆した毛髪繊維との接合部を形成する。一実施形態において、標準試験法ＩＳＯ  ３０４に従って２０℃で測定されたヘアスタイリング配合物の表面張力は、約２０ｍＮ／ｍ〜約５０ｍＮ／ｍ、又は約２０ｍＮ／ｍ〜約４０ｍＮ／ｍ、又は約２８ｍＮ／ｍ〜約４０ｍＮ／ｍ、又は約３０ｍＮ／ｍ〜約４０ｍＮ／ｍである。ＩＳＯ  ３０４は、純粋な液体又は溶液の表面張力を測定するための標準試験法である。
【００３３】
一実施形態において、ヘアスタイリング配合物の標準試験法ＤＩＮ  ＥＮ  ＩＳＯ  ３１０４に従って測定された動粘性率は、約１ｍｍ2／ｓ〜約２５ｍｍ2／ｓ、又は１ｍｍ2／ｓ〜約１５ｍｍ2／ｓ、又は２ｍｍ2／ｓ〜約１０ｍｍ2／ｓ、又は約１ｍｍ2／ｓ〜約４ｍｍ2／ｓ、又は約１．２ｍｍ2／ｓ〜約３ｍｍ2／ｓである。ＤＩＮ  ＥＮ  ＩＳＯ  ３１０４は、液体の動粘性率を測定するための標準試験法である。ヘアスタイリング配合物に粘性がありすぎると、ヘアスタイリング配合物が濃くなりすぎ、噴霧することができない、及び／又はつまり、不均一な噴出配合物、例えば、噴霧というより寧ろ「吐出」する不規則な噴霧ビーム、及び／又は塊の噴出がもたらされるため、動粘性率は重要と云えよう。これは、噴射剤がガス状の形態のため共溶媒として作用できないという理由から圧縮ガス噴射剤を利用するときに、特に重要であり得る。
【００３４】
噴出組成物の液滴直径の中央値は、約１０マイクロメートル〜約８０マイクロメートル、又は約１５マイクロメートル〜約６０マイクロメートル、又は約１５マイクロメートル〜約５０マイクロメートル、又は約２０マイクロメートル〜約３５マイクロメートルである。約１０マイクロメートルよりも小さい液滴は、液滴が肺に入り健康問題を招く恐れがあることが安全上懸念されるため、本発明には適さない。約１００マイクロメートルを超える液滴は大きすぎ、それ故に適さない。一実施形態において、液滴直径は８０マイクロメートル以下である。ポンプスプレーを備えるヘアスプレー製品は、通常大きすぎる液滴直径を有するため、不適切である。本エアロゾルヘアスプレー製品は、ポンプスプレーではない。
【００３５】
液滴は、レーザー回折に基づいた技術を用いて測定される。散乱光は、フーリエ変換における集束レンズによって焦点合わせされ、検出器アレイによって獲得される。粒子／液滴が光を回折する角度は、そのサイズに反比例する。検波器アレイは、３０個を超える個々の検出器から作製され、これらのそれぞれは、特定の角度の範囲で散乱された光を回収する。スプレーからの散乱パターンが捕捉され、これが測定される。粒子／液滴の大きさは、回折角度の測定で定量される。４５０ｍｍのレンズタイプ、シリアルナンバー２３７を有するＭａｌｖｅｒｎ  Ｓｐｒａｙｔｅｃ  ＥＰＣＳ  ４．０が使用される。ソフトウェア：ＲＴ  Ｓｉｚｅｒ  ５．０。試験持続時間：４０００ｍｓ。データ収集速度：２００Ｈｚ。測定可能な最小液滴直径：０．８マイクロメートル。測定可能な最大液滴直径：３００マイクロメートル。ノズルとレーザービームとの間の距離：１４０ｍｍ。
【００３６】
ヘアスプレー製品の噴出流量は、約０．１０ｇ／ｓ〜約０．４０ｇ／ｓ、又は約０．２０ｇ／ｓ〜約０．３５ｇ／ｓ、又は約０．２０ｇ／ｓ〜約０．３０ｇ／ｓ、又は約０．２０ｇ／ｓ〜約０．２５ｇ／ｓである。噴出流量が約０．４５ｇ／ｓを超える場合、毛髪上での乾燥時間は消費者にとっては、長すぎて、満足しないであろう。噴出流量は典型的に、容器内部の圧力（圧力の増加は噴出流量の加速に相関する）、並びに／又は噴霧装置内の直径開口部及び／又はアクチュエータ内のオリフィス（直径の短縮は噴出流量の減速に相関する）を変えることによって調整され得る。
【００３７】
毛髪上で噴出組成物が乾燥する時間は、約０．５分間〜約７分間、又は約１分間〜約５分間、又は約１分間〜約５分間、又は約１分間〜約２分間であり得る。
【００３８】
ヘアスタイリング配合物は、ヘアスタイリング配合物及び噴射剤の総重量に対して約０．０１重量％〜約２０重量％、又は約１重量％〜約１６重量％、又は約２重量％〜約１２重量％、又は約３重量％〜約８重量％、又は約４重量％〜約７重量％のヘアスタイリングポリマーを含む。
【００３９】
ヘアスタイリングポリマーは、（メタ）アクリル酸又はそれらの単純エステルであるモノマーのうちの２つ以上のモノマーのアクリレートコポリマー；ブチルアクリレート、メチルメタクリレート、メタクリル酸、エチルアクリレート及びヒドロキシエチルメタクリレートのアクリレート／ヒドロキシエステルアクリレートコポリマー；ポリウレタン−１４／ＡＭＰ−アクリレートコポリマーブレンド；並びにこれらの混合物からなる群から選択され得る。Ａｋｚｏ  Ｎｏｂｅｌ製Ｂａｌａｎｃｅ（登録商標）ＣＲは、（メタ）アクリル酸又はそれらの単純エステルであるモノマーのうちの２つ以上のモノマーのアクリレートコポリマー、である。一実施形態において、ポリウレタン−１４／ＡＭＰ−アクリレートコポリマーブレンドは、アクリレートコポリマーとポリウレタンポリマーとのブレンドである。Ａｃｕｄｙｎｅ（商標）１０００は、ブチルアクリレート、メチルメタクリレート、メタクリル酸、エチルアクリレート、及びヒドロキシエチルメタクリレートのアクリレート／ヒドロキシエステルアクリレートコポリマーである。Ａｋｚｏ  Ｎｏｂｅｌ製ＤｙｎａｍＸ（登録商標）Ｈ２Ｏは、アクリレートコポリマーとポリウレタンポリマーとのブレンド、即ち、ポリウレタン−１４／ＡＭＰ−アクリレートコポリマーブレンドである。Ａｋｚｏ  Ｎｏｂｅｌ製Ｂａｌａｎｃｅ（登録商標）ＣＲは、（メタ）アクリル酸又はそれらの単純エステルであるモノマーのうちの２つ以上のモノマーのアクリレートコポリマーである。一実施形態において、ヘアスタイリング配合物は２種以上のヘアスタイリングポリマーを含み、ヘアスタイリングポリマーは、（メタ）アクリル酸又はそれらの単純なエステルであるモノマーのうちの２つ以上のモノマーのアクリレートコポリマー；ブチルアクリレート、メチルメタクリレート、メタクリル酸、エチルアクリレート及びヒドロキシエチルメタクリレートのアクリレート／ヒドロキシエステルアクリレートコポリマー；ポリウレタン−１４／ＡＭＰ−アクリレートポリマーブレンド；並びにこれらの混合物からなる群から選択される。一実施形態において、ヘアスタイリング配合物は、上記３種全てのヘアスタイリングポリマーを含む。一実施形態において、本製品はオクチルアクリルアミド／アクリレート／ブチルアミノエチルメタクリレートコポリマーを実質的に含まない。Ａｍｐｈｏｍｅｒ（登録商標）は、オクチルアクリルアミド／アクリレート／ブチルアミノエチルメタクリレートコポリマーである。
【００４０】
一実施形態において、ヘアスタイリング配合物は約３％〜約２０％の唯一のヘアスタイリングポリマーを含み、この唯一のヘアスタイリングポリマーは、（メタ）アクリル酸又はそれらの単純なエステルであるモノマーのうちの２つ以上のモノマーのアクリレートコポリマー；並びにブチルアクリレート、メチルメタクリレート、メタクリル酸、エチルアクリレート及びヒドロキシエチルメタクリレートのアクリレート／ヒドロキシエステルアクリレートコポリマーからなる群から選択される。一実施形態において、ヘアスタイリング配合物は、唯一のヘアスタイリングポリマーである約４％〜約７％のヘアスタイリングポリマーと、（メタ）アクリル酸又はそれらの単純なエステルであるモノマーのうちの２つ以上のモノマーのアクリレートコポリマーであるヘアスタイリングポリマーと、を含む。本明細書中で用いられている「唯一のヘアスタイリングポリマー」とは、ヘアスタイリング配合物に含まれるヘアスタイリングポリマーが１種類だけに限られ、他のヘアスタイリングポリマーは存在せず、かつ他のヘアスタイリングポリマーが、唯一のヘアスタイリングポリマーに関して規定された定義に該当しないことを意味する。
【００４１】
一実施形態において、ヘアスタイリング配合物はヘアスタイリングポリマーの混合物を含む。混合物は、硬質ヘアスタイリングポリマーと、軟質ヘアスタイリングポリマーと、を含んでいてもよい。本明細書中に用いられている「硬質ヘアスタイリングポリマー」とは、ヘアスタイル保持力に優れるヘアスタイリングポリマーであり、このヘアスタイル保持力は、ヘアスタイリング配合物中の硬質ヘアスタイリングポリマーの濃度が増すにつれて顕著になる。しかしながら、高濃度の硬質ヘアスタイリングポリマーは典型的に、髪触りに悪影響を及ぼす。即ち、消費者は触知可能な髪触りが、例えば、粗くて容認できないものであることを見出す。本明細書中に用いられている「軟質ヘアスタイリングポリマー」は、髪触りを良くし、即ち、自然にし、とりわけ髪触りを柔らかくかつ／又は滑らかにするヘアスタイリングポリマーである。ただし、得られるヘアスタイル保持力は一般的に制限される。
【００４２】
一実施形態において、ヘアスタイリング配合物は、約３％〜約２０％の唯一のヘアスタイリングポリマーを含み、唯一のヘアスタイリングポリマーは、硬質ヘアスタイリングポリマーである。
【００４３】
ヘアスタイリングポリマーの軟度及び硬度は、ヘアスタイリングポリマーの分子量及びガラス転移温度、更には、ヘアスタイリングポリマーの化学的性質、即ち、モノマーの化学的性質に依存する。
【００４４】
一実施形態において、硬質ヘアスタイリングポリマーはガラス転移温度が１０℃以上で、軟質ヘアスタイリングポリマーはガラス転移温度が１０℃未満である。本明細書中に用いられている「ガラス転移温度」即ち「Ｔg」は、ポリマーが流動可能になる、つまり、力が印加されたときにポリマー鎖どうしが互いを通り越して摺動可能になると見なされ得る最低の温度を意味する。本明細書中に用いられているＴgは、ＤＩＮ  ＥＮ  ６１  ００６に従って測定できる。
【００４５】
一実施形態において、（１つ又は複数の）ヘアスタイリングポリマーは分子量が約１０，０００ｇ／ｍｏｌ〜約２００，０００ｇ／ｍｏｌ、又は約２０，０００ｇ／ｍｏｌ〜約１５０，０００ｇ／ｍｏｌである。一実施形態において、硬質ヘアスタイリングポリマーは分子量が約９０，０００ｇ／ｍｏｌ〜約２００，０００ｇ／ｍｏｌである。一実施形態において、軟質ヘアスタイリングポリマーは分子量が約１０，０００ｇ／ｍｏｌ〜約９０，０００ｇ／ｍｏｌである。
【００４６】
ヘアスタイリング配合物中の軟質ヘアスタイリングポリマーの量を増やすと、得られるヘアスタイル保持力が増加するが、やがて安定状態に達する。換言すれば、軟質ヘアスタイリングポリマーは、提供可能な最大のヘアスタイル保持力を有する。結果的に、硬質ヘアスタイリングポリマーと軟質ヘアスタイリングポリマーとの混合物を提供することは、有利であり得る。
【００４７】
一実施形態において、硬質ヘアスタイリングポリマーは、（メタ）アクリル酸又はそれらの単純なエステルであるモノマーのうちの２つ以上のモノマーのアクリレートコポリマー；ブチルアクリレート、メチルメタクリレート、メタクリル酸、エチルアクリレート、及びヒドロキシエチルメタクリレートのアクリレート／ヒドロキシエステルアクリレートコポリマー；並びにこれらの混合物からなる群から選択される。一実施形態において、軟質ヘアスタイリングポリマーは、ポリウレタン−１４／ＡＭＰ−アクリレートポリマーブレンド；ラテックスヘアスタイリングポリマー；ポリエステル；及びこれらの混合物からなる群から選択される。一実施形態において、軟質ヘアスタイリングポリマーは、ポリウレタン−１４／ＡＭＰ−アクリレートポリマーブレンド、又はラテックスヘアスタイリングポリマーである。一実施形態において、軟質ヘアスタイリングポリマーはポリウレタンポリマーである。ポリウレタンポリマーは、ポリウレタン−１４／ＡＭＰ−アクリレートポリマーブレンドであってもよい。一実施形態において、ヘアスタイリング配合物は付加的な軟質ヘアスタイリングポリマーを含み、この付加的な軟質ヘアスタイリングポリマーは、ＰＶＰ（ポリビニルピロリドン）ポリマー；ＰＶＰ−ＶＡ−コポリマー（ビニルピロリドン／ビニルアセテートコポリマー）；ポリエステル；並びにこれらの混合物からなる群から選択される。
【００４８】
一実施形態において、ヘアスタイリング配合物は、ポリウレタン−１４／ＡＭＰ−アクリレートポリマーブレンド又はラテックスヘアスタイリングポリマーである軟質ヘアスタイリングポリマーと、（メタ）アクリル酸、又はそれらの単純なエステルであるモノマーのうちの２つ以上のモノマーのアクリレートコポリマー；並びにアクリル酸ブチル、メタクリル酸メチル、メタアクリル酸、エチルアクリレート及びヒドロキシエチルメタクリレートのアクリレート／ヒドロキシエステルアクリレートコポリマーからなる群から選択される硬質ヘアスタイリングポリマーと、の混合物を含む。一実施形態において混合物は、ポリウレタン−１４／ＡＭＰ−アクリレートポリマーブレンド又はラテックスヘアスタイリングポリマーである軟質ヘアスタイリングポリマーと、下記の２種の両方の硬質ヘアスタイリングポリマー（即ち、（メタ）アクリル酸又はそれらの単純なエステルであるモノマーのうちの２つ以上のモノマーのアクリレートコポリマー；並びにブチルアクリレート、メチルメタクリレート、メタクリル酸、エチルアクリレート及びヒドロキシエチルメタクリレートのアクリレート／ヒドロキシエステルアクリレートコポリマー）と、の混合物である。一実施形態において混合物は、（メタ）アクリル酸又はそれらの単純なエステルであるモノマーのうちの２つ以上のモノマーのポリエステル及びアクリレートコポリマーを含む。一実施形態において、ポリエステルはポリエステル−５ポリマーである。一実施形態において混合物は、少なくとも２つ、又は少なくとも３つの異なるヘアスタイリングポリマーを含む。Ｅａｓｔｍａｎ  Ｃｈｅｍｉｃａｌ  Ｃｏｍｐａｎｙ製ＡＱ（登録商標）４８  Ｕｌｔｒａ  Ｐｏｌｙｍｅｒは、ポリエステル−５ポリマーの例である。
【００４９】
一実施形態において、混合物中の硬質ヘアスタイリングポリマー対軟質ヘアスタイリングポリマー（硬質：軟質）の重量比は、約１０：１〜約１：１０、又は約１０：１の〜約１：２である。一実施形態では、少なくとも２つの異なるヘアスタイリングポリマー、又は２つのみの異なるヘアスタイリングポリマーが含まれる混合物において、硬質：軟質の重量比は約１０：０．５〜約９：３、又は約１０：１の〜約９：２であり得る。一実施形態では、少なくとも３つの異なるヘアスタイリングポリマー、又は３つのみの異なるヘアスタイリングポリマーが含まれる混合物において、硬質：軟質の重量比は約１０：１〜約６：４、又は約１０：２〜約８：３であり得る。
【００５０】
一実施形態において、ヘアスタイリング配合物は、オクチルアクリルアミド／アクリレート／ブチルアミノエチルメタクリレートコポリマー、パンテノール化合物、シリコーン化合物、ラテックス化合物、及びこれらの混合物からなる群から選択される相加成分を更に含む。一実施形態において、ヘアスタイリング配合物はパンテノール化合物を更に含む。一実施形態において、パンテノール化合物は、パンテノール、パントテン酸誘導体、及びこれらの混合物からなる群から選択される。一実施形態において、パンテノール化合物は、Ｄ−パンテノール（［Ｒ］−２，４−ジヒドロキシ−Ｎ−［３−ヒドロキシプロピル］−３，３−ジメチルブタミド）、Ｄ／Ｌ−パンテノール、パントテン酸及びこれらの塩、パンテニルトリアセタート、ローヤルゼリー、パンテタイン（panthetine）、パントテイン、パンテニルエチルエーテル、パンガム酸、パントイルラクトース、ビタミンＢ複合体、並びにこれらの混合物からなる群から選択される。一実施形態において、ヘアスタイリング配合物は、硬質ヘアスタイリングポリマーとパンテノールと任意選択的に軟質ヘアスタイリングポリマーとを含有してなる混合物を含む。一実施形態において、ヘアスタイリング配合物はパンテノールを含む。パンテノール化合物は、硬質ヘアスタイリングポリマーに対して「軟化」効果を有し得る。ヘアスタイリング配合物は、ヘアスタイリング配合物及び噴射剤の総重量に対して約０．１重量％〜約０．６重量％、又は約０．１重量％〜約０．３重量％のパンテノール化合物を含んでもよい。硬質ヘアスタイリングポリマー対パンテノール化合物の重量比は、約１００：６〜約１００：１、又は約１００：４〜約１００：２０であってもよい。一実施形態において、パンテノール化合物は、Ｄ−パンテノール、又はＤ／Ｌ−パンテノールのいずれかである。一実施形態において、ヘアスタイリング配合物はシリコーン化合物を更に含む。シリコーンは、髪触りを滑らかにし、更には毛髪につやも与えるので有用である。一実施形態では、シリコーン化合物はジメチコーン化合物である。一実施形態において、シリコーン化合物は、ＰＥＧジメチコーン、例えばＰＥＧ−１２ジメチコーンである。一実施形態において、ヘアスタイリング配合物は、オクチルアクリルアミド／アクリレート／ブチルアミノエチルメタクリレートコポリマーを更に含む。Ａｍｐｈｏｍｅｒ（登録商標）は、オクチルアクリルアミド／アクリレート／ブチルアミノエチルメタクリレートコポリマーである。
【００５１】
一実施形態において、ヘアスタイリングポリマーは水相容性ヘアスタイリングポリマーであり、あるいは水溶性ヘアスタイリングポリマーである。一実施形態において、ヘアスタイリング配合物は、水と相容性のないヘアスタイリングポリマーを実質的に含まない。Ａｋｚｏ  Ｎｏｂｅｌ製Ｂａｌａｎｃｅ（登録商標）ＣＲ、Ａｃｕｄｙｎｅ（商標）１０００、ＤｙｎａｍＸ（登録商標）Ｈ２Ｏは水相容性である。
【００５２】
一実施形態において、ヘアスタイリング配合物は、ラテックスヘアスタイリングポリマーを更に含む。一実施形態において、ラテックスヘアスタイリングポリマーは、ポリウレタンポリマー、及び／又は水性ポリウレタン分散体である。一実施形態において、ポリウレタンポリマーはポリウレタン−４８である。Ｂａｙｃｕｓａｎ（登録商標）Ｃ  １００８は、水性ポリウレタン分散体であるポリウレタン−４８である。
【００５３】
一実施形態において、本製品は、ヘアスタイリング配合物及び噴射剤の総重量に対して約０．５％未満のカチオン性界面活性剤を含む。一実施形態において、ヘアスタイリング配合物はポリウレタンポリマーを含み、ヘアスタイリング配合物はカチオン表面活性剤を実質的に含まない。一実施形態において、唯一のヘアスタイリングポリマーは、ラテックスヘアスタイリングポリマーでもなくポリウレタンポリマーでもない。一実施形態において、ヘアスタイリング配合物はポリウレタンポリマーを実質的に含まない。この理由は、毛髪上の噴出配合物が乾燥した後、状況によっては、ポリウレタンポリマーが毛髪上に残留し得るためである。そのような残留物は目障りであり、フケと混同される可能性があることから消費者に好まれない。
【００５４】
本発明において手及び／又は毛髪のべたつきは、従来のエタノール系エアロゾルヘアスプレーで生じるより少ない。一実施形態において、本製品はＶＯＣの含有率がヘアスタイリング配合物及び噴射剤の総重量に対して約２０重量％の〜約５０重量％であり、液化ガス噴射剤はＤＭＥである。手及び／又は毛髪のべたつきが少ないという利益は、この実施形態においても得られる。
【００５５】
両性ポリマーだけでなく、Ｂａｌａｎｃｅ（登録商標）ＣＲなどのアニオン性ポリマーも通常は、中和された形又は部分的に中和された形で存在する。一実施形態において、ヘアスタイリングポリマーは、少なくとも６０％、又は少なくとも８０％中和されている。好適な中和剤には、水酸化カリウム、水酸化ナトリウム、トリイソプロパノールアミン（ＴＩＰＡ）、２−アミノブタノール、２−アミノメチルプロパノール（ＡＭＰ）、アミノエチルプロパンジオール、ジメチルステアラミン（Ａｒｍｅｅｎ  １８  Ｄ）、ケイ酸ナトリウム、テトラヒドロキシプロピルエチレンジアミン（Ｎｅｕｔｒｏｌ（登録商標）ＴＥ）、アンモニア（ＮＨ3）、トリエタノールアミン、トリメチルアミン（Ｔｒｉｓ  Ａｍｉｎｏ  Ｕｌｔｒａ）、アミノメチルプロパンジオール（ＡＭＰＤ）が包含される。一実施形態において、中和剤は２−アミノブタノール、アンモニア、又は２−アミノメチルプロパノールである。
【００５６】
ヘアスタイリング配合物は、界面活性剤を更に含み得る。ヘアスタイリング配合物は、ヘアスタイリング配合物及び噴射剤の総重量に対して１重量％以下、又は０．６重量％以下、又は０．４重量％以下、又は０．３重量％以下の界面活性剤を含み得る。一実施形態において、界面活性剤は、カチオン性界面活性剤、非イオン性界面活性剤、アニオン性界面活性剤、及びこれらの混合物からなる群から選択される。カチオン性界面活性剤は、セトリモニウムクロライド（例えば、Ｋａｏ製Ｑｕａｒｔａｍｉｎ  ６０Ｌ−Ｇ；ＤＥＨＹＱＵＡＲＴ  Ａ−ＣＡ／ＤＥＴＥＸ；ＡＲＱＵＡＤ  １６〜２５  ＬＯ）；コカミドプロピルヒドロキシスルタイン（例えば、ＲＥＷＯＴＥＲＩＣ  ＡＭ  ＣＡＳ）；コカミドプロピルベタイン（例えば、ＴＥＧＯ  ＢＥＴＡＩＮ  Ｆ  ５０）；ベタイン；及びこれらの混合物からなる群から選択され得る。非イオン性界面活性剤は、ヒマシ油ＰＥＧ−４０  Ｈ（例えば、ＮＥＯＤＯＬ  ９１−８）；ラウレス−４（例えば、ＤＥＨＹＤＯＬ  ＬＳ  ４  ＤＥＯ  Ｎ）；ラウレス−９；デシルグルコシド（例えば、Ｐｌａｎｔａｃａｒｅ  ２０００）；ポリソルベート２０（例えば、ＵＮＩＱＥＭＡ製ＴＷＥＥＮ  ２０  ＰＨＡＲＭＡ）；ＰＥＧ−２５硬化ヒマシ油（例えば、ＳＥＰＰＩＣ製ＳＩＭＵＬＳＯＬ  １２９２  ＤＦ）；ＰＥＧ−４０硬化ヒマシ油（例えば、ＢＡＳＦ製ＣＲＥＭＯＰＨＯＲ  ＣＯ  ４１０）；ＰＰＧ−１−ＰＥＧ−９−ラウリルグリコールエーテル（例えば、Ｅｕｍｕｌｇｉｎ  Ｌ）；シロキサンポリアルキレンオキシドコポリマー（Ｍｏｍｅｎｔｉｖｅ製Ｓｉｌｗｅｔ（登録商標）Ｌ７６０４）；及びポリジメチルシロキサンメチルエトキシレート（Ｍｏｍｅｎｔｉｖｅ製Ｓｉｌｗｅｔ（登録商標）Ｌ７６００）；並びにこれらの混合物からなる群から選択され得る。好適なアニオン性界面活性剤は、ジオクチルナトリウムスルホコハク酸塩（ＤＯＳＳ又は１，４−ジオクトキシ−１，４−ジオキソブタン−２−スルホン酸）であり、これらの一例は、ＣｙｔｅｃからのエアロゾルＯＴ−７０  ＰＧである。一実施形態において、界面活性剤は、ヒマシ油ＰＥＧ−４０  Ｈ；セトリモニウムクロライド；ラウレス−４；ラウレス−９；デシルグルコシド；コカミドプロピルヒドロキシスルタイン；ポリソルベート２０；シロキサンポリアルキレンオキシドコポリマー；ジオクチルナトリウムスルホスクシネート；及びこれらの混合物からなる群から選択される。一実施形態において、界面活性剤はヒマシ油ＰＥＧ−４０  Ｈ；デシルグルコシド；コカミドプロピルヒドロキシスルタイン；ポリソルベート２０；シロキサンポリアルキレンオキシドコポリマー；ジオクチルナトリウムスルホスクシネート；及びこれらの混合物からなる群から選択される。一実施形態において、界面活性剤はシロキサンポリアルキレンオキシドコポリマー；及びジオクチルナトリウムスルホスクシネート；及びそれらの混合物からなる群から選択される。
【００５７】
ヘアスタイリング配合物は、ヘアスタイリング配合物及び噴射剤の総重量に対して少なくとも約５０重量％、又は約５０重量％〜約９９重量％、又は約６０重量％〜約９９重量％、又は約７０重量％〜約９９重量％の水を含む。本製品が、ＶＯＣを実質的に含まないとき、ヘアスタイリング配合物は、ヘアスタイリング配合物及び噴射剤の総重量に対して約９０重量％〜約９９重量％の水を含み得る。
【００５８】
ヘアスタイリング配合物内にアルコールが存在していてもよい。一実施形態において、アルコールはエタノール、イソプロパノール、及びこれらの混合物からなる群から選択される。エタノール及び／又はイソプロパノールをヘアスプレー製品に添加することによって、毛髪上に噴出されたヘアスプレー組成物を乾燥させる助けになり得る。エタノール及びイソプロパノールは両方とも、引火性でありかつＶＯＣでもある。一実施形態において、ヘアスタイリング配合物は、ヘアスタイリング配合物及び噴射剤の総重量に対して約１５重量％未満、又は約１０重量％未満、又は約８重量％未満、又は約５重量％未満、又は約２重量％未満のアルコールを含む。一実施形態において、本製品はアルコールを実質的に含まないか、又はエタノール及び／又はプロパノールを実質的に含まない。驚くべきことに、本発明の手及び／又は毛髪上でのべたつき感は、従来のエタノール系エアロゾルヘアスプレーで達成されるよりも低い。
【００５９】
ヘアスタイリング配合物は、少なくとも１種の防腐剤を含んでいてもよい。防腐剤は、ヘアスタイリング配合物及び噴射剤の総重量に対して約１．５重量％以下、又は０重量％〜１重量％、又は０．０１重量％〜１重量％の量で存在し得る。好適な防腐剤としては、フェノキシエタノール（例えば、Ｅｕｘｙｌ（登録商標）ＰＥ  ９０１０）、ベンジルアルコール、プロピレングリコール、ＰＨＭＢ（ポリ−アミノプロピルビグアニド）、ＩＳＰ製Ｏｐｔｉｐｈｅｎ（フェノキシエタノール＋カプリリルグリコール）、Ｓｙｍｒｉｓｅ製Ｓｙｍｔｒｉｏｌ（１，２オクタンジオール及び１，２ヘキサンジオール、メチルベンジルアルコール）、オクチルサリチレート、１，３−ビス（ヒドロキシメチル）−５，５−ジメチルイミダゾリジン−２，４−ジオン（ＤＭＤＭヒダントイン；Ｎｉｐａｇｕａｒｄ（登録商標）ＤＭＤＭＨ：製造元Ｃｌａｒｉａｎｔ），ＥＤＴＡ（Ｒｅｘａｔ）、ブチレングリコール（Ｄｅｋａｂｅｎ  ＬＭＢ）、及びパラベンタイプ、例えば、メチルパラベン（例えば、Ｓｃｈｕｔｚ  ＆  Ｃｏ．製若しくはＳＬＩ  Ｃｈｅｍｉｃａｌｓ製ＰＨＢ−メチルエステル、又はＮｉｐａｇｉｎ（登録商標）Ｍ）、プロピルパラベン（Ｓｏｌｖａｄｉｓ  Ｓｐｅｃｉａｌｔｉｅｓ製ＰＨＢ−プロピルエステル）が挙げられる。
【００６０】
ヘアスタイリング配合物は、少なくとも１つの香料又は芳香剤を更に含んでもよい。エアロゾルヘアスプレー製品は、ヘアスタイリング配合物及び噴射剤の総重量に対して最大約０．５重量％、又は約０重量％〜約０．４重量％、又は約０．０３重量％〜約０．３重量％の香料又は芳香剤を含んでもよい。
【００６１】
ヘアスタイリング配合物は、ビタミンＢ１、Ｂ２、Ｂ６、Ｂ１２、Ｃ等の水溶性ビタミン、パントテン酸、パントテニルエチルエーテル、パンテノール、ビオチン、及びこれらの誘導体、アスパラギン、アラニン、インドール、グルタミン酸等の水溶性アミノ酸及びこれらの塩、ビタミンＡ、Ｄ、Ｅ等の不水溶性ビタミン、並びにこれらの塩及び／又は誘導体、チロシン、トリプタミン等の不水溶性アミノ酸、粘度変性剤、染料、不揮発性溶媒又は希釈剤（水溶性及び不水溶性）、真珠光沢助剤、発泡促進剤、追加の界面活性剤又は非イオン性共界面活性剤、殺シラミ薬、ｐＨ調整剤、香料、防腐剤、キレート剤、タンパク質、皮膚活性剤、日焼け止め剤、紫外線吸収剤、ビタミン、ナイアシンアミド、カフェイン、並びにミノキシジル等の、ビタミン及びアミノ酸を更に含んでもよい。本製品は、ヘアスタイリング配合物及び噴射剤の総重量に対して約０．０１重量％〜約５重量％のビタミン及び／又はアミノ酸を含んでもよい。
【００６２】
エアロゾルヘアスプレー製品は、無機顔料、ニトロソ、モノアゾ、ジアゾ化合物、カロチノイド、トリフェニルメタン、トリアリールメタン、キノリン、オキサジン、アジン、若しくはアントラキノンタイプの化学物質、並びにインジゴイド、チオニンジゴイド、キナクリドン、フタロシアニン、植物、天然色である化合物、並びに水溶性成分等の顔料材料を更に含んでもよい。本製品は、ヘアスタイリング配合物及び噴射剤の総重量に対して約０．０００重量％〜約５重量％の色素材を含んでもよい。本明細書中に記載されている（１つ又は複数の）配合物は、化粧品用の殺生物剤として有用な抗菌薬を含有していてもよい。本製品は、ヘアスタイリング配合物及び噴射剤の総重量に対して約０．０１重量％〜約重量５％の抗菌剤を含んでもよい。
【００６３】
本ヘアスタイリング配合物は、約６〜約１０、又は約７〜約１０、又は約７〜約９のｐＨを有し得る。
【００６４】
本製品は圧縮ガス噴射剤を含む。圧縮ガス噴射剤は、空気、窒素（Ｎ2）、亜酸化窒素（Ｎ2Ｏ）、二酸化炭素（ＣＯ2）、及びこれらの混合物からなる群から選択され得る。一実施形態において、圧縮ガス噴射剤は、空気、又は窒素（Ｎ2）である。一実施形態において、圧縮ガス噴射剤は、窒素（Ｎ2）である。一実施形態において、圧縮ガス噴射剤は、二酸化炭素（ＣＯ2）ではない、特に、ヘアスタイリング配合物のｐＨを低下させる際、ＣＯ2の影響により、ヘアスタイリングポリマーが、沈殿する恐れがあるときは、二酸化炭素ではない。また、ＣＯ2は、一般的に、多かれ少なかれプラスチック材料を通して浸透し、即ち、０％の浸透は、一般的に達成することができない。用語「空気」は、約７８％の窒素、２１％の酸素、及び１％の二酸化炭素、アルゴン、及び他の微量元素を含むガスとして、本明細書に定義される。空気の内容物は変化し得るため、一実施形態において、圧縮ガス噴射剤は窒素ガスである。本明細書に定義されるとき、圧縮ガスＮ2、ＣＯ2、及びＮ2Ｏは全て、不燃性である。Ｎ2Ｏは、２９８のＧＷＰを有する。噴射剤が空気であるとき、最大１ｇが、噴射剤として利用される。
【００６５】
ＣＦＣは、それらのオゾンを破壊する性質のため、本発明では好適な噴射剤ではない。例えば、ＣＦＣ−１２は、１０，９００のＧＷＰを有する。一実施形態において、本製品のＧＷＰは、１００以下、又は５０以下、又は２０以下、又は１０以下、又は５以下である。
【００６６】
本発明は、ヘアスタイリング配合物及び噴射剤を保管するためのリザーバを囲繞する容器壁部を備える容器を具備する。一実施形態において、容器壁部の大部分をプラスチック材料が占める。一実施形態において、容器壁部は容器の総重量に対して少なくとも約８０重量％、又は約８５重量％〜約１００重量％のプラスチック材料を含む。用語「プラスチック」は、加熱する、又は加熱することなく、成形又はモールドし、所望の形態に硬化することができ、ポリマー、樹脂、及びセルロース誘導体を含む、任意の高分子材料として本明細書に定義される。プラスチックは通常、高分子量のホモポリマー又はコポリマーである。プラスチック容器に収容された化粧品は公知である。プラスチックは、多種多様の特定の容器形態が、作製され得るため、化粧品を収容するのに、特に好都合な材料である。ヘアスプレー容器用のプラスチック材料の利用は、消費者に、使いやすいという効果を与えるための卓越した手段を提供する。例えば、把持特徴、輪郭等の触覚利点を提供することは非常に容易であり、高度の特異性及び精度のある、これらの触覚利点を設計することができる。更に、プラスチック容器は、１つの部品に容易に造形することができる。密封プラスチック容器は、金属容器よりも爆発の可能性が低い。これは、プラスチックは弾力性が金属と比較して大きいことから、例えば、過大な温度を適用したときに、例えば、容器壁部がより薄い容器内の脆弱な地点にてプラスチック材料が膨張する。徐々に、及び最終的に、この脆弱な地点での膨張は、高圧な容器が、孔の形成から回避することができる。更に、審美的効果はまた、プラスチック容器が使用されるとき、例えば、透明及び／又は半透明の容器材料が採用され得るとき、並びに多くの他の審美的効果に加えて、より容易に実現することもできる。環境の観点から、大部分をプラスチック材料が占める容器を利用すると、持続性の面で利点があり、代替の容器材料よりも二酸化炭素排出量が低減される結果になる。プラスチックはまた、金属よりも容易に再利用される。
【００６７】
一実施形態において、プラスチック材料は、ポリオレフィン、ポリエステル、ポリアミド、ポリ塩化ビニル、アクリル、ポリカーボネート、ポリエチレンナフタレート（ＰＥＮ）、ポリエチレンテレフタレート（ＰＥＴ）、ポリスチレン、ポリウレタン、及びこれらの混合物からなる群から選択される。一実施形態において、プラスチック材料は、ポリエチレンテレフタレート（ＰＥＴ）、ポリエチレンナフタレート（ＰＥＮ）、及びこれらの混合物からなる群から選択される。ポリエチレンナフタレートは、Ｐｏｌｙｃｌｅａｒ（登録商標）、例えば、Ｐｏｌｙｃｌｅａｒ（登録商標）Ｎ１０、Ｐｏｌｙｃｌｅａｒ（登録商標）Ｎ９０、及びＰｏｌｙｃｌｅａｒ（登録商標）Ｎ１００という商標名でＨｏｅｃｈｓｔ  Ｔｒｅｖｉｒａ  ＧｍｂＨ  ＆  Ｃｏ．ＫＧから販売されている。
【００６８】
容器は、再生可能な供給源、即ち、石油以外の供給源から誘導された成分からできているポリマーを含み得る。本明細書で使用されるとき、用語「持続可能なポリマー」は、例えば、再生可能な資源由来のモノマー等の構成成分から作製されるポリマーを意味する。再生可能な、非石油資源の例には、植物及び微生物が含まれる。再生可能な、非石油植物資源には、サトウキビ、ビート、トウモロコシ、ジャガイモ、柑橘系果実、及び木本植物を含んでもよい。例えば、エタノールは、サトウキビから生成することができる。次いで、エタノールは、エチレンに変換してもよく、これを重合して、ポリエチレン（ＰＥ）を形成することができる。ポリプロピレン（ＰＰ）、ポリエステル、及びポリエチレンテレフタレート（ＰＥＴ）から合成されるモノマーも、再生可能な資源に由来される場合がある。持続可能なポリマーは、デンプン及び／又はセルロース由来のモノマーから、又はポリマーそれ自体を修飾することによって、合成してもよい。セルロースは、セルロースの化学修飾によって製造される熱可塑性樹脂である。
【００６９】
これらの持続可能なプラスチック材料は、容器壁部に利用される１００％のプラスチック材料として使用しても、性能を変化させるため、及び／又は経済的理由のために、様々なレベルで石油由来のプラスチック材料に混合してもよい。植物源由来のある種の材料は、生分解性であってもよい。生分解性を示す持続可能なポリマーには、ポリ乳酸（ＰＬＡ）、ポリグリコール酸（ＰＧＡ）、ポリブチレンサクシネート（ＰＢＳ）、及びこれらのコポリマー等の脂肪族ポリエステル、ＢＡＳＦからのＥｃｏｆｌｅｘ（登録商標）及びＤｕＰｏｎｔからのＢｉｏｍａｘ（登録商標）、ポリヒドロキシアルカノエート（ＰＨＡ）及びこれらのコポリマー等の脂肪族−芳香族ポリエステルが含まれる。熱可塑性デンプン（ＴＰＳ）材料はまた、セルロースのように、生分解性である。生分解性が持続可能なポリマーの取り込みは、生分解の速度若しくは程度を制御するため、又は経済的理由のため、１００％使用済プラスチック材料であってもよいし、又は他の材料と混合してもよい。生分解の速度及び程度は、本発明の目的及び特徴と適合しなくてはならない。ＢＡＳＦからのＥｃｏｆｌｅｘ（登録商標）は、例えば、土壌又は堆肥中で生物分解する生分解性プラスチック材料である。それは、１年間安定して市販されている。それは、袋及び膜において特に好適である。
【００７０】
再利用済プラスチック材料は、再粉砕が可能である。この消費後の粉砕再生材料樹脂はまた、他の樹脂と混合された場合、又は１００％使用済プラスチック材料として使用された場合、本発明に好適であり得る。ある濃度での再粉砕ポリエチレン（ｒ−ＨＤＰＥ、ｒ−ＬＬＤＰＥ、ｒ−ＬＤＰＥ）、再粉砕ポリプロピレン（ｒ−ＰＰ）、及び再粉砕ポリエチレンテレフタレート（ｒ−ＰＥＴ）が好適であり得る。
【００７１】
充填剤材料は、プラスチック材料にブレンドできる。プラスチック材料への充填材料の取り込みの利点には、機械的強度、密度、及び冷却時間のプラスチックの物理的性質の調節、並びに経済的理由も含まれる。一実施形態において、充填剤はデンプン、再生可能な供給源から繊維（例えば、麻、亜麻、ココナッツ、木材、紙、竹）、及び無機材料（例えば、カルシウムカルボネート、雲母、及びタルク）からなる群から選択される。加えて、高圧ガス、発泡剤、又は微小球等のガス充填剤を、プラスチック材料に添加してもよい。
【００７２】
プラスチック材料は、ガラス転移温度（Ｔｇ）及び／又は分子量で定義され得る。容器壁部が容器の総重量に対して少なくとも約８０重量％のプラスチック材料、又は約８５重量％〜約１００重量％のプラスチック材料を含む場合、容器壁部の壁厚も重要になり得る。一実施形態において、プラスチック材料はＰＥＴであり、ガラス転移温度は約７０℃〜約８０℃、壁厚は約０．５ｍｍ〜約３．２ｍｍである。ＰＥＴ容器の例には、次の壁厚（肩部：約０．６５ｍｍ、側壁部：約０．５０ｍｍ、外側底部：約１．０９ｍｍ、底押し上げ部：約２．９０ｍｍ）のものが包含される。容器は、造形によって、特定の人間工学的な外形、又は輪郭（例えば、手の形状の輪郭）を生じ得る。前記形態は、例えば、更なるグリップ又は滑り止めを提供することによって、ヘアスプレー製品の効果的かつ正確な使用を容易にする。他の触覚の特徴はまた、容器の表面上に、例えば、ピンプルを提供してもよい。一実施形態において、容器は円筒状の形状ではない。更に、本容器は、色の混合、透明、又は半透明の部分等の特定の審美的特徴を提供してもよい。一実施形態において、少なくとも５０％の容器壁部は、半透明、又は透明である。外部から見えるとき、バルブ付き袋システムは、審美的理由により、消費者にはあまり好まれない。
【００７３】
一実施形態において、容器壁部はその大部分を金属材料が占める。一実施形態において、金属材料は、アルミニウム、スズめっき鋼、及びこれらの組み合わせからなる群から選択される。一実施形態において、容器壁部は、容器の総重量に対して少なくとも約８０重量％、又は約８５重量％〜約１００重量％の金属材料を含む。一実施形態において、容器壁部は内側表面を備え、この内側表面は腐食阻害剤でコーティングされている。一実施形態において、腐食阻害剤はポリアミドイミドラッカーである。好適な腐食防止剤は、ＨＯＢＡ  Ｌａｃｋｅ  ｕｎｄ  Ｆａｒｂｅｎ  ＧｍｂＨによって供給されているＨＯＢＡ  ８４６０である。
【００７４】
一実施形態において、噴射剤及びヘアスタイリング配合物は、リザーバ内部で相互に自在に連通できる。一実施形態において、噴射剤及びヘアスタイリング配合物は、単一の区画内に保管される。一実施形態において、エアロゾルヘアスプレー製品は、特に、容器壁部の一部が、半透明、又は透明であるときは、バルブ付き袋システムを備えない。一実施形態において、リザーバはヘアスタイリング配合物及び噴射剤を保管するための複数の区画を含む。一実施形態において、噴射剤及びヘアスタイリング配合物は、単一の区画内に保管されない。一実施形態において、リザーバはヘアスタイリング配合物及び噴射剤を保管するための複数の区画を含まない。
【００７５】
リザーバ内部の圧力は、圧力計（ＧＣＡＳ  ＃６０００１４３９）で測定することができる。リザーバ内部の圧力は、５０℃にて約１００ｋＰａ（１ｂａｒ）〜約１６００ｋＰａ（１６ｂａｒ）、又は約６００ｋＰａ（６ｂａｒ）〜約１２００ｋＰａ（１２ｂａｒ）、又は約８００ｋＰａ（８ｂａｒ）〜約１０００ｋＰａ（１０ｂａｒ）、又は約９００ｋＰａ（９ｂａｒ）以上であり得る。一実施形態において、本リザーバは、最大容積の２２０ｍＬのヘアスタイリング配合物及び噴射剤を備える。
【００７６】
スプレーノズルは、第１の要素２０、好ましくはノズルカップ２０と、第２の要素２２、好ましくはピン２２と、を具備する流体分配用スプレーノズル２である。前記第１及び第２の要素２０、２２は、流体を収容する流体チャンバ４０、好ましくは環状チャンバと、流体チャンバ４０からの流体を渦流チャンバ４４の内側に入るように半径方向に給送する少なくとも１つの給送チャネル４２と、渦流チャンバ４４に対向する入口端部５４、及び流体をスプレーノズル２の周囲５８に排出するための出口端部５６を備える排水チャネル１８と、を備えてなる組立体８０を形成し、排水チャネル１８が流体の流れ方向に先細になり、先細りの度合いが流れ方向に一定であるか、又は先細りの度合いが流れ方向に減少することで特徴づけられる。
【００７７】
一実施形態において、出口端部５６は、最大直径（ｄmax）が約０．１ｍｍ〜約０．８ｍｍ、好ましくは約０．１ｍｍ〜約０．２５ｍｍ、より好ましくは約０．１ｍｍ〜約０．２ｍｍ、更により好ましくは約０．１２ｍｍ〜約０．１５ｍｍである。
【００７８】
一実施形態において、排水チャネル１８の内側表面６２は角度（β）を含み、前記角度（β）は約７０°〜約１３０°、好ましくは約８０°〜約１２０°、より好ましくは約８０°〜約１１０°の間を変動する。
【００７９】
一実施形態において、給送チャネル４２は、第１のセクション４８と、第１のセクション４８の後に流れ方向に続きかつ渦流チャンバ４４に当接する第２のセクション５０と、を備えて構成されている。第１のセクション４８の幅（ｗ１）は流れ方向に減少し、第２のセクション５０の幅（ｗ２）は一定であるか又はより小さい範囲で流れ方向に減少する。
【００８０】
一実施形態において、第２のセクション５０流れ方向における長さ（ｌ）は第２のセクション５０の幅（ｗ２）に等しいかそれ未満であり、及び／又は第１及び／又は第２のセクション４８、５０の高さ（ｈ）は流れ方向に減少し、及び／又は第２のセクション５０の幅（ｗ２）は第２のセクション５０の高さ（ｈ）に等しい。
【００８１】
一実施形態において、渦流チャンバ４４の直径（ｄs）対出口端部５６の直径（ｄmax）の比は約２．５〜約３．５である。
【００８２】
一実施形態において、出口端部４６における少なくとも１つの給送チャネル４２の断面積の合計対排水チャネル１８の出口端部５６の断面積の比は、約１．５〜約２．７、好ましくは約１．７〜約２．６である。
【００８３】
一実施形態において、第１の要素２０の底部２６は、流体の流れ方向に対して約０．５Ｎ〜約１．５Ｎ、好ましくは約１Ｎのプレテンションを及ぼす。
【００８４】
一実施形態において、第１の要素２０の底部２６は、長手方向６において円錐形であり、第２の要素２２と共に、組立中に第２の要素２２の貫通によって画定される接触領域を形成している。これにより、第１の要素２０の底部２６を長手方向４へわずかに曲げることで、第１の要素２０と第２の要素２２との間にプレテンションが生成される。
【００８５】
一実施形態において、第１及び第２の要素２０、２２の１つは、要素２０、２２の組み立て時に他の要素２２、２０によって弾力的に変形する弾性部分を含み、第１の要素２０の突出部２８、又は／及び突出部２８を担持する断面は、好ましくは弾性部分を形成する。
【００８６】
一実施形態において、第１の要素２０及び第２の要素２２は、可撓性の接続ピース３８、好ましくはストリップを介して接続され、接続ピース３８は、より好ましくは第１及び第２の要素２０、２２と一体的に形成又は造形される。
【００８７】
一実施形態において、第１の孔６６を備える出口層６４と、第２の孔７０及びスロット７２を備えるチャンネル層６８と、孔（複数）７６を備える入口層７４が設けられ、第１の孔６６が排水チャネル１８を形成し、第２の孔７０が渦流チャンバ４４を形成し、スロット７２が給送チャネル４２を形成し、入口層７４内の孔（複数）７６が流体チャンバ４０からの流体を給送チャネル４２に供給するための入口孔（複数）を形成するように、かつ、層６４、６８、７４は好ましくは互いに分離可能で、及び／又は層６４、６８、７４のそれぞれが好ましくは置換可能となるように、前記層（６４、６８、７４）が挟持されている。
【００８８】
一実施形態において、入口孔（複数）と給送チャネル４２との間には重畳領域７８が設けられている。重畳領域７８のサイズ、又は／及び重畳領域７８と渦流チャンバ４４との間の距離を調整する目的から、重畳領域７８のサイズ、又は／及び重畳領域７８と渦流チャンバ４４との間の距離は好ましくは調節可能であり、入口層７４及びチャンネル層６８はより好ましくは移動可能であり、最も好ましくは互いを基準とした相対位置に回転可能である。
【００８９】
一実施形態において、スプレーノズル２は、次のリストから選択されるプラスチック材料からできている：ポリオキシメチレン、ポリプロピレン、ポリエチレン、ポリスチレン、アクリロニトリルブタジエンスチレン、シリコーン、ポリアミド、ポリエチレンテレフタレート、エラストマー、又はそれらの混合物。
【００９０】
一実施形態において、本製品は、可変噴霧角ノズル及び／又は可変樹脂フラックスノズルを更に具備する。
【００９１】
第２の態様において、本発明は、（ｉ）本発明に従う製品によって噴出される、噴出組成物を毛髪に塗布する工程と、（ｉｉ）毛髪上で噴出組成物を乾燥させる工程と、を含む、毛髪をスタイリングするための方法に関する。本方法はまた、髪形又はヘアスタイルを形成する工程（ｉ）に先行する工程を含んでもよい。本方法はまた、工程（ｉｉ）の前に来るが、髪形又はヘアスタイルを形成する工程（ｉ）の後に来る工程を含んでもよい。
【００９２】
第３の態様において、本発明は、ヘアスタイルを固定及び／又は成形するための本発明による製品の使用に関する。第３の態様の一実施形態において、本使用は、ヘアスタイルを作った後、ヘアスタイルを固定するために、本発明による製品を使用することを含む。あるいは、本使用は、ヘアスタイルを作って成形するために、本発明による製品を使用することを含む。
【００９３】
第４の態様は、本明細書中に記載されている少なくとも１つのエアロゾルヘアスプレー製品と、製品の使用法について説明するコミュニケーションと、を含むキットに関する。本キットは、更に、シャンプー、コンディショナー、ムース、ジェル、ヘアスタイリングツール、ブロードライヤー、カールトング、及びストレートアイロンからなる群から選択される品目を含んでもよい。ヘアスタイリングツールは、ヘアバンド、髪留め金具、櫛、及びブラシからなる群から選択されてもよい。
【００９４】
本発明の図面の詳細な説明
図１〜図４は、流体分配用スプレーノズル２の第１の実施形態の図を示す。図中のスプレーノズルの反対側の長手方向４、６、反対側の半径方向８、１０、及び反対側の円周方向１２、１４は、対応する矢印線で示されている。スプレーノズル２の縦軸１６は長手方向４、６に延在し、前記縦軸１６は排水チャネル１８の中心軸を更に形成している。
【００９５】
スプレーノズル２は第１の要素２０から組み立てられ、それによって、第２の要素２２は組立体８０を形成する。第１の要素２０はノズルカップ２０（即ち、カップ状構造）を有し、第１のセクション２４は円周方向１２、１４に延在して周囲壁部を形成し、第２セクション２６は底部２６を形成している。第２のセクション２６は突出部２８を更に備え、前記リブ状突出部２８は長手方向６及び半径方向８、１０に延在している。図２に最良の形態で示し得るように、突出部２８の間に円周方向１２、１４に溝３０が設けられている。後述するように、前記溝は給送チャネル４２を形成するように設けてある。突出部２８は、第２の要素２２を支持する支持表面３２としての役目を果たす上側表面を備え、前記支持表面３２は第２の要素２２に面する。更に、突出部２８は、溝３０及び給送チャネル４２それぞれに面する側面３４を備える。
【００９６】
第２の要素２２は本質的に、前端面３６に円筒形態を有するピン２２であってもよく、前記前端面３６は長手方向４に膨れ出ている。本実施例において、前端面３６は球形キャップの形態を有する。第２の要素２２は、第一要素２０に挿入され、突出部２８の支持面３２上に前端面３６が支持される。この点については、第２の要素２２もまた第１の要素２０の中へ押圧されるか又はクリップされる球体で形成され得ることを言及すべきである。第２の要素２２の選択された形態とは関係なく、対応するノッチ、スナップ、又は形態適合又は／及び圧入を提供するその他同種のものが、図に示されていない場合でも、第２の要素２２が第１の要素２０内の位置にスナップ又はクリックされ得ることが好ましい。
【００９７】
第１の要素２０及び第２の要素２２は、可撓性の接続ピース３８を介して接続することも可能である。この例ではストリップで形成されている。接続ピース３８は、第２の要素２２、及び第１の要素２０の少なくとも第１のセクション２４と一体的に形成又は造形される。更に、第１の要素２０の第２のセクション２６も、第１の要素２０の第１のセクション２４と一体的に形成又は造形してもよいし、同一材料で構成してもよい。しかしながら、この場合、以降本明細書中に記載されるように、第２のセクション２６は別の材料でできているため、続いて第２のセクション２６は第１のセクション２４に固定される。第２のセクション２６が第１のセクション２４と一体に形成できるかどうかに関係なく、第１の要素２０は弾性部分を含む。
【００９８】
既に上述したように、第１の要素２０は、少なくとも部分的に、第２の要素２２の材料よりも弾性の大きい弾性材料でできている。この場合、第１の要素２０の第２のセクション２６は、その突出部２８及びその前記突出部２８を担持する底部セクション２６を含め弾性材料でできていて、前記弾性材料は、第２の要素２２の材料よりも弾性が大きく、かつ第１の要素２０の第１のセクション２４の材料よりも弾性が大きい。よって、第１の要素２０の前述の弾性部分は、突出部２８と、前記突出部２８を担持しているその底部セクションと、から実質的に形成される。要素２０、２２が組み立てられると、第１の要素２０の弾性部分は第２の要素２２を介して弾力的に変形される。
【００９９】
更に、第１の要素２０の底部２６（第２のセクション２６）は、流体の流れ方向に対して約０．５Ｎ〜約１．５Ｎ、好ましくは約１Ｎのプレテンションを及ぼす。換言すれば、スプレーノズル２の組立中、即ち、第２の要素２２が第１の要素２０に挿入されると、第１の要素２０の底部２６が平坦位置に対して屈曲を生じ、それにより、そのプレテンションが第２の要素２２に対して生成される。このプレテンションによって、高圧力にて流体を分配する際に、第１の要素２０が第２の要素２２に確実に粘着されるようになる。
【０１００】
事前組立済の状態が表示されない場合でも、第１及び第２の要素２０、２２が組み立てられる前に、前記突出部２８を担持する底部セクションが第２の要素２２の方へ長手方向６に湾曲又は凸状になることが好ましい。
【０１０１】
一実施例においては、図１に示すように、ノズルカップ２０の第２のセクション２６内に排水チャネル１８が既に提供されている一方、ピン２２を長手方向４にノズルカップ２０内に嵌入することによって、スプレーノズル２が組み立てられ、それによって、流体チャンバ４０、給送チャネル４２及び渦流チャンバ４４が作製される。流体チャンバ４０はノズルカップ２０の第１のセクション２４とピン２２との間に半径方向８、１０に位置決めされる。それにより、この流体チャンバ４０が環状チャンバとして形成される。流体チャンバ４０には、流体貯蔵チャンバ又は容器（図面には示されていない）から分配される流体が収容される。長手方向４において流体チャンバ４０は給送チャネル４２の半径方向の外端部に当接する。それにより、流体チャンバ４０と給送チャネル４２との間に流体接続が存在するようになっている。
【０１０２】
図２において特にわかるように、給送チャネル４２は内向きに放射状に給送チャネル４２の出口端部４６まで延在している。ここで、給送チャネル４２が渦流チャンバ４４に当接すると、流体が流体チャンバ４０から給送チャネル４２経由で渦流チャンバ４４に供給できるようになる。図３に示すように、給送チャネル４２は、円周方向１２、１４においては突出部２８の側部表面３４によって制限され、長手方向６においては第２の要素２２の前端面３６によって制限され、前記第２の要素２２が溝３０を覆い給送チャネル４２を形成しており、かつ長手方向４においては突出部２８を担持する第２のセクション２６の底部によって制限されている。
【０１０３】
図２において、給送チャネル４２は、流れ方向及び半径方向１０においてそれぞれ、流体チャンバ４０に当接する第１のセクション４８と、第１のセクション４８の後に続く第２のセクション５０と、を含む。第２のセクション５０は、出口端部４６を備える渦流チャンバ４４に当接する。図２に示すように、第１のセクション４８の幅ｗ１は、流れ方向及び半径方向１０に減少する。対照的に、第２のセクション５０の幅ｗ２は一定であるか、又は第１のセクション４８よりも小さい範囲で流れ方向及び半径方向１０に減少する。
【０１０４】
図に示すように、第１のセクション４８の側部壁を形成する突出部２８は、突出部の側部壁の間に角度αを有する。図２には、半径方向８、１０に延在している第２のセクション５０の中心線５２が、更に示されている。前記中心線５２によって、角度αが第１の角度α１及び第２の角度α２に再分割される。第１の角度α１と第２の角度α２との間の最大差は１０°、より好ましくは５°又は１°、最も好ましくは０°である。第２の要素２２の前側面３６が突出しているため、給送チャネル４２の第１のセクション４８又は／及び第２のセクション５０の高さｈは、流れ方向及び半径方向１０に減少する。更に、流れ方向及び半径方向１０における第２のセクション５０の長さｌは、第２のセクション５０の幅ｗ２に等しいか又はそれより小さい。加えて、第２のセクション５０の幅ｗ２は、第２のセクション５０の高さｈに等しい。
【０１０５】
図３に示すように、支持体面３２と側部表面３４と間の遷移領域において突出部２８は半径ｒ１を含む。断面形態を小型化するにするための給送チャネル４２の半径ｒ１対幅ｗ（例えば、ｗ１又はｗ２）の比は、１／３以下、より好ましくは１／４以下、最も好ましくは１／５以下である。
【０１０６】
第１の要素２０及び第２の要素２２は、組立済の場合でも、依然として相互に対して異なる相対的位置に移動され得る。示された実施形態において、要素２０及び２２は、相互に対して長手方向４、６に移動され得る。この相対的な運動によって、突出部２８又は／及び第１の要素２０の第２のセクション２６の底部を弾力的に変形させれば（即ち、第１の要素２０の弾性部分を弾力的に変形させれば）、給送チャネル４２又は／及び渦流チャンバ４４の形態、寸法又は／及び位置調整が変更される。換言すれば、スプレーノズル２の挙動を変更することは容易である。更に、要素２０、２２を異なる相対的位置に係止するための方法（図示せず）が提供されている。
【０１０７】
図４を参照すると、第１の要素２０の第２のセクション２６内の前述の排水チャネル１８は、長手方向６において渦流チャンバ４４に対向する入口端部５４と、長手方向４においてスプレーノズル２及び噴霧器の周囲５８にそれぞれ流体を排出するための出口端部５６と、を備える。排水チャネル１８は、流れ方向及び長手方向４に絶え間なく先細りになる。このようにして、排水チャネル１８は、少なくとも１つの先細部分を備える。即ち、排水チャネル１８は、排水チャネル１８の長さに沿って出口に向けて少なくとも部分的に先細りになる。先細りには、連続的若しくは段階的な角度、又は湾曲を付けることができる。示されている実施形態において、先細り部は排水チャネル１８の出口端部５６だけでなく入口端部５４にも当接する。このため、排水チャネル全体が流れ方向に先細りになる。出口端部５６を囲繞する縁部６０は、半径ｒ2を有する。半径ｒ2は０．０３ｍｍ未満、好ましくは０．０２ｍｍ未満である。
【０１０８】
更に、出口端部５６は最大直径が０．１２ｍｍ〜０．１５ｍｍ、より好ましくは直径が約０．１４ｍｍ（対応する最大断面積を含む）であり、９００ｋＰａ（９ｂａｒ）で流量が０．２４ｇ／ｓ超のとき（流体の水を考慮した場合）、体積単位の平均粒子サイズ（Ｄ50）として６０μｍ以下、又は好ましくは５０μｍ以下、又はより好ましくは４５μｍ以下が達成される。この直径から、体積単位の平均粒子サイズ（Ｄ32）として５０μｍ以下、又は好ましくは４５μｍ以下、又はより好ましくは４０μｍ以下が更に達成される。直径が１０μｍ未満（％＜１０μｍ）の粒子の平均パーセンテージは２％未満、好ましくは１．５％未満、より好ましくは１％未満である。
【０１０９】
ノズルは、直径（ｄmax）が約０．８ｍｍで、外形が大きいものほど流速が速い。例えば、２００ｋＰａ（２ｂａｒ）で３．２ｇ／ｓ超であり、体積単位の平均粒子サイズ（Ｄ50）（流体の水を考慮した場合）として１２０μｍ以下、又は好ましくは１１５μｍ以下が達成される。この直径から、更に体積単位の平均粒子サイズ（Ｄ32）として１００μｍ以下、又は好ましくは９６μｍ以下が達成される。直径が１０μｍ未満（％＜１０μｍ）の粒子の平均パーセンテージは、１．５％以下、好ましくは１以下、より好ましくは０．５％以下である。
【０１１０】
この値を超えると、排水チャネル１８を囲繞する内側表面６２によって、排水チャネル１８は半径方向８においても同じ制限を受ける。排水チャネル１８の内側表面６２は角度βを含み、前記角度βは好ましくは７０〜１３０°、好ましくは８０〜１２０°、より好ましは８０〜１１０°の間を変動する。
【０１１１】
図４に示すように、流れ方向及び長手方向４において排水チャネル１８が先細りになる度合いは一定である。示されている実施形態において、これは、排水チャネル１８、又は円錐台又は角錐台の形態を有する排水チャネル１８全体の少なくとも先細り部分を介して達成される。圧力低下（即ち、スプレーノズル２のエネルギー散逸）は低減可能であり、流体を分配するための最小ポンプ圧力を更に低減するには出口端部４６における給送チャネル４２の断面積の合計と排水チャネル１８の出口端部５６の断面積との比を調整すればよいことが、更に見出された。この比は約１．５〜約２．７、好ましくは約１．７〜約２．６である。更に、渦流チャンバ４４の直径ｄs対排水チャネル１８の出口端部５６の直径ｄmaxの比は、約２．５〜約３．５である。
【０１１２】
図５は、図１の拡大断面図Ａに第１の修正を施したものを示す。以下、相似又は同じ成分には同じ参照符号を使用し、相違点のみ記述する。この点に関しては、第１の実施形態の上記記載が準用される。
【０１１３】
図１〜４に参照された排水チャネル１８とは対照に、図５による排水チャネル１８の先細りの度合いは、流れ方向及び長手方向４に減少している。これは、流れ方向及び長手方向４において湾曲している排水チャネル１８の内側表面６２を提供することによって達成される。図５によれば、本実施形態において、排水チャネル１８の少なくとも先細り部分、又は排水チャネル１８全体は、回転の切頭双曲面の形態を有する。
【０１１４】
図６は、本発明によるスプレーノズルの第２の実施形態を示す。図１〜５によれば、第２の実施形態は、第１実施形態に少なくとも部分的に対応しているため、以下、相似又は同じ成分には同じ参照符号を使用し、相違点のみ記述する。この点に関しては、第１の実施形態の上記記載が準用される。
【０１１５】
図６によれば、スプレーノズル２は、少なくとも３つの層、即ち、第１の孔６６を備える出口層６４と、第２の孔７０及びスロット７２を備えるチャンネル層６８と、スロット状の孔（複数）７６を備える入口層７４と、を含んで構成されている。図面を明瞭さを高めるために、図６中の前記層６４、６８及び７４が挟持されている一方、入口層７４は透過的な方法で示してある。このように挟持されているため、第１の孔６６が排水チャネル１８を形成し、第２の孔７０が渦流チャンバ４４を形成し、スロット７２が給送チャネル４２を形成し、入口層内の孔（複数）７６が、流体チャンバ４０からの流体を給送チャネル４２に供給するための入口孔（複数）を形成している。示されている実施形態において、層６４、６８及び７４は互いに分離可能であり、層６４、６８及び７４のそれぞれは置換可能である。それにより、層６４、６８及び７４は、対応するスロット及び孔（複数）を備える別個のディスクと見なされ得る。
【０１１６】
図６に示すように、長手方向４に見た場合、入口孔（複数）７６と給送チャネル４２との間には重畳領域７８が設けてある。入口層７４及びチャンネル層６８は移動可能であり、この場合、相互に縦軸１６の周りを回転できる。一方、重畳領域７８と渦流チャンバ４４との間の距離は、チャンネル層６８を基準とする相対位置に円周方向１４へ入口層７４を回転させることによって減少できると共に、チャンネル層６８を基準とする相対位置に円周方向１２へ入口層７４を回転させることによって増大するように入口孔（複数）７６及び給送チャネル４２は、形成される。このようにして、重畳領域７８と渦流チャンバ４４との間の距離を調節できる。
【０１１７】
図７は、本発明によるスプレーノズル２の第３の実施形態を示す。図６によれば、第３の実施形態は少なくとも部分的に第２の実施形態に対応しているため、以下、相似又は同じ成分には同じ参照符号を使用し、相違点のみ記述する。この点に関しては、第１の実施形態及び第２の実施形態の上記記載が準用される。
【０１１８】
第３の実施形態の入口孔（複数）７６及び給送チャネル４２は、第２の実施形態とは対照的に、チャンネル層６８を基準とする相対位置に円周方向１２へ入口層７４を回転させることによって重畳領域７８のサイズを減少できると共に、チャンネル層６８を基準とする相対位置に円周方向１４へ入口層７４を回転させることによって増大することもできるように形成される。このようにして、重畳領域７８のサイズを調節できる。
【０１１９】
単一のスプレーノズル２においては、好都合にも第２及び第３の実施形態の原則を併用することが可能であるため、入口層７４とチャンネル層６８との間の相対的な移動によって、重畳領域７８のサイズの調整だけでなく、重畳領域７８と渦流チャンバ４４との間の距離の調整も可能であることに言及すべきである。
【０１２０】
スプレーノズル２は、プラスチック材料、例えば、ポリオキシメチレン、ポリプロピレン、ポリエチレン、ポリスチレン、アクリロニトリルブタジエンスチレン、シリコーン、ポリアミド、ポリエチレンテレフタル酸塩、又はそれらの混合物でできている。更に、スプレーノズルは、エラストマーを付加的に含んでいてもよい。
【０１２１】
本発明によると、スプレーノズル２は噴霧器に使用すべきである。前記噴霧器は、好ましくは手動式の噴霧器、例えば、トリガー噴霧器であり、本噴霧器は、より好ましくは手動で絞り出せる流体容器を備える噴霧器であるか、加圧流体貯蔵容器付き、若しくは手動により作動可能なポンプ装置付きの噴霧器であるか、又は電気的に駆動される噴霧器である。
【０１２２】
ピンの屈曲及び圧縮は、出口端部の直径（ｄmax）が０．２５ｍｍ未満、特に０．２ｍｍ未満、更には０．１５ｍｍ．未満のスプレーノズルの製造工程中に起こる問題である。それ故、ピン２２及びノズルカップ２０の組立中には高精度が必要とされる。このため、スプレーノズル２は精密な射出成形工程を介して作製される。ノズルカップ２０を形成するためには、自動位置決め工程でピン２２（成形型）をカウンタツールの中央に配置する。ピン２２は先細り（即ち、円錐形状）であるため、ピンが円筒形であるノズルと比較すると、成形ツールをカウンタツールの中央に配置するのが容易である。加えて、成形ツール（ピン）は、円筒形のものよりも円錐形のものの方が堅牢である。更に、半径が０．０３ｍｍ未満、好ましくは０．０２ｍｍ未満の出口端部５６を囲繞する縁部を設けるため、ツール製造用マイクロエロージョン（micro erosion）を適用する。
【０１２３】
ヘアスプレーの作製方法
第１に、主要混合物及び第２の混合物の２つの溶液が作製される。主要混合物は、ヘアスタイリングポリマーを含み、撹拌しながら、水及び防腐剤系の構成成分中に溶解される。水及びパラベン系防腐剤の構成成分（例えば、メチルパラベン）を含む、第２の混合物を作る。任意追加的に、第２の混合物は、パラベンを溶解するために、マイクロ波中で９０〜９５℃まで加熱される。次いで、２つの混合物を混合して、ヘアスタイリング配合物を作る。続いて、ヘアスタイリング配合物を容器に入れてから、バルブ系を含むシーリング用マウンティングカップに容器を圧着して密閉する。その後、圧力下で噴射剤を付加してから、スプレーノズルを容器に付加する。
【実施例】
【０１２４】
【表１】
0005844469.tif 000002
【０１２５】
【表２】
0005844469.tif 000003
凡例：1＝Ａｃｕｄｙｎｅ（登録商標）１０００（４５％溶液）；2＝ＤｙｎａｍＸ  Ｈ2Ｏ（登録商標）（２５％溶液）；3＝Ｂａｌａｎｃｅ（登録商標）ＣＲ（４５％溶液）；4＝Ｅｕｘｙｌ（登録商標）ＰＥ  ９０１０；5＝Ｎｉｐａｇｕａｒｄ（登録商標）ＤＭＤＭＨ；6＝Ｓｃｈｕｔｚ製ＰＨＢ−メチルエステル。
【０１２６】
実施例１〜１４はいずれも、その大部分をプラスチック容器又は大部分は金属容器内に収容できる。噴射剤は圧縮ガス噴射剤であり、本製品のＶＯＣ含有率はヘアスタイリング配合物及び噴射剤の総重量に対して１５重量％以下であり得る。本スプレー装置は請求項１に準ずる。
【０１２７】
性能データ
実験１：官能データ
上掲の実施例セクションから選択された本発明によるエアロゾルヘアスプレー製品を、性能に優れた標準エアロゾルヘアスタイリング製品と比較した。標準エアロゾルヘアスプレー製品は、５０重量％のＤＭＥ噴射剤を含み、金属コンテナを容器とし、ヘアスプレー配合物はヘアスタイリングポリマーとして３重量％のＡｍｐｈｏｍｅｒと約３８重量％のエタノールと１重量％未満の水とを含み、本製品は９５重量％のＶＯＣを含んで構成される（これらのパーセンテージはヘアスタイリング配合物及び噴射剤の総重量を基準とする）。
【０１２８】
これらの製品から噴出された組成物を毛髪に吹き付けて、官能基準と比較する。本発明に従う製品と標準製品との差異が−１〜＋１（即ち、正又は負の１点）である場合は、等号（＝）マークが付けられる。差異が−１未満又は＋１を超える場合はそれぞれ＋又は−マークが付けられ、差異が＋２を超える場合は＋＋マークが付けられる。
【０１２９】
【表３】
0005844469.tif 000004
凡例：1＝マネキン上での保持（最小限の保持、乃至最大限の保持）；2＝塗布後の湿分（毛髪がかなり乾燥した感じ、乃至毛髪がかなり湿った感じ）；3＝手／毛髪のべたつき（全然べたつかない、乃至かなりべたつく）；4＝マネキンの毛髪の見た目（ごく自然、乃至かなり絡まる）；5＝マネキンの毛髪への残留（残留なし、乃至大量に残留）；6＝マネキンの髪を梳かした後の髪触り（かなりごわつく、乃至極めて滑らか）；7＝マネキンの毛髪への指通り（毛髪が絡み合う、乃至毛髪がさらさらする）。
【０１３０】
実験２：技術データ
組成物によってヘアスタイルに与えられるセット力及び保持力は、それぞれ、３点曲げ力及び保持力ファクターを測定することで定量できる。３点曲げ力の方法論：ヘアスタイリング配合物０．５ｍｌ／ｇを頭髪の房に塗布して１分間マッサージした。次いで、乾燥キャビネット内で４５℃にて頭髪の房を４５分間乾燥させる。続いて、頭髪の房に指をなでつけて髪のくせを取り、２０℃、６５％の相対湿度にてチャンバ内で一晩乾燥させる。サンプル上の５つの位置にスタンプを付けて測定を行う。Ｆ．Ｆｒｏｓｃｈ，Ｆ．Ｖｏｇｅｌ，６th  Ｉｎｔｅｒｎａｔｉｏｎａｌ  Ｈａｉｒ  Ｓｃｉｅｎｃｅ  Ｓｙｍｐｏｓｉｕｍ  Ｏｆ  ｔｈｅ  Ｇｅｒｍａｎ  Ｗｏｏｌ  Ｒｅｓｅａｒｃｈ  Ｉｎｓｔｉｔｕｔｅ，Ｌｕｎｅｂｕｒｇ／Ｇｅｒｍａｎｙ（１９８８）に詳述されている方法論に従って、３点曲げ力を測定する。Ａｍｅｒｉｃａｎ  Ｎａｔｉｏｎａｌ  Ｓｔａｎｄａｒｄｓ  ＩｎｓｔｉｔｕｔｅのＤＩＮ−ＥＮ−６５８−５の方法も参照する。９回の繰り返し実行後（即ち、ｎ＝９）、平均値を計算する。
【０１３１】
保持力ファクター（別称：カール保持率）の方法論：０．５ｍｌ／ｇのヘアスタイリング配合物を頭髪の房に塗布し、１分間マッサージした。続いて、各頭髪の房を頭髪の房の５０重量％に調整して、櫛を３回通した。頭髪を三つ編みにして、乾燥用キャビネット内で４５℃にて４５分間乾燥させる。その後、頭髪を気候チャンバ内で、２０℃、６５％の相対湿度にて一晩乾燥させる。翌日、カール定着測定を行う。気候条件：２０℃、８５℃％の相対湿度。読み取り時間：０ｈ、１ｈ、２ｈ、３ｈ、５ｈ及び２４ｈ後（ｈは、時間を意味する）。保持力ファクターは、Ｃ．Ｒ．Ｒｏｂｂｉｎｓ，Ｃｈｅｍｉｃａｌ  ａｎｄ  Ｐｈｙｓｉｃａｌ  Ｂｅｈａｖｉｏｒ  ｏｆ  Ｈｕｍａｎ  Ｈａｉｒ，３rd  ｅｄｉｔｉｏｎ，ｐａｇｅ  ３５２，Ｓｐｒｉｎｇｅｒ−Ｖｅｒｌａｇ，Ｎｅｗ  Ｙｏｒｋ（１９９４）に詳述されている方法論に従って測定される。３回の繰り返し実行後（即ち、ｎ＝３）、平均値を計算する。
【０１３２】
表Ｘに、下に詳述するヘアスタイリング配合物の塗布後の、３点曲げ力及び保持ファクター、１ｈ、５ｈ及び２４ｈ後のヘアスタイルを詳述する。ヘアスタイリング配合物は、明記されている場合、上掲の実施例セクションの表からの実施例のとおりである。サンプルＡ〜Ｃをヘアスタイリング配合物Ａ〜Ｃで処理した。これらヘアスタイリング配合物には、指示されたヘアスタイリングポリマーを脱イオン水中に溶かしたものが含まれている。存在する総ヘアスタイリングポリマーは、括弧内に示してある。サンプルαは無処理とした。
【０１３３】
【表４】
0005844469.tif 000005
凡例：1＝Ａｃｕｄｙｎｅ（登録商標）１０００（４５％溶液）；2＝ＤｙｎａｍＸ（登録商標）Ｈ２Ｏ（２５％溶液）；3＝Ｂａｌａｎｃｅ（登録商標）ＣＲ（４５％溶液）；Ｎ／Ｔ＝無処理。
【０１３４】
本明細書に開示した寸法及び値は、記載された正確な数値に厳密に限定されるものと理解されるべきではない。寧ろ、特に断らない限り、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【図１】
0005844469.tif 000006
【図２】
0005844469.tif 000007
【図３】
0005844469.tif 000008
【図４】
0005844469.tif 000009
【図５】
0005844469.tif 000010
【図６】
0005844469.tif 000011
【図７】
0005844469.tif 000012